(57)【要約】  本発明は、工作機械（２０）または工作機械（２０）へ電気供給をするためのエネルギー蓄積器モジュール（４０）の形態の電気器具に関し、エネルギー蓄積器モジュール（４０）は工作機械（２０）と取外し可能に結合するための器具インターフェースを備えるモジュールハウジング（４１）を有し、工作機械（２０）は、工作物（Ｗ）の加工のために意図される工具（３８）が配置された、または配置可能な工具収容部（２３）を駆動するための駆動モータ（２２）を有し、駆動モータ（２２）は工作機械（２０）および／またはエネルギー蓄積器モジュール（４０）の切換部材（２４）を用いて切換可能であり、電気器具は、工作機械（２０）により生成されるダストを吸い出すために意図される集塵機（７０，８７０）の構成要素を形成する外部通信装置（１００）とワイヤレス通信するためのワイヤレス通信インターフェース（６０，６０Ｃ）を有し、ワイヤレス通信インターフェース（６０，６０Ｃ）は切換部材（２４）の切換状態に依存して集塵機（７０，８７０）を制御するための、特にスイッチオンおよび／またはスイッチオフするための、少なくとも１つの制御コマンドをワイヤレス制御接続（Ｓ１，Ｓ２）を介して外部通信装置（１００）へ送信するために構成される。ワイヤレス通信インターフェース（６０，６０Ｃ）は、切換部材（２４）の切換状態に依存して集塵機（７０，８７０）との制御接続（Ｓ１，Ｓ２）を成立させるために少なくとも１つのログオンメッセージ（４４０）を外部通信装置（１００）へ送信するために構成される。
2020522921.tif 000002
【特許請求の範囲】
【請求項１】
工作機械（２０）または前記工作機械（２０）へ電気供給をするためのエネルギー蓄積器モジュール（４０）の形態の電気器具であって、前記エネルギー蓄積器モジュール（４０）は前記工作機械（２０）と取外し可能に結合するための器具インターフェースを備えるモジュールハウジング（４１）を有し、前記工作機械（２０）は、工作物（Ｗ）の加工のために意図される工具（３８）が配置された、または配置可能な工具収容部（２３）を駆動するための駆動モータ（２２）を有し、前記駆動モータ（２２）は前記工作機械（２０）および／または前記エネルギー蓄積器モジュール（４０）の切換部材（２４）を用いて切換可能であり、前記電気器具は、前記工作機械（２０）により生成されるダストを吸い出すために意図される集塵機（７０，８７０）の構成要素を形成する外部通信装置（１００）とワイヤレス通信するためのワイヤレス通信インターフェース（６０，６０Ｃ）を有し、前記ワイヤレス通信インターフェース（６０，６０Ｃ）は前記切換部材（２４）の切換状態に依存して前記集塵機（７０，８７０）を制御するための、特にスイッチオンおよび／またはスイッチオフするための、少なくとも１つの制御コマンドをワイヤレス制御接続（Ｓ１，Ｓ２）を介して前記外部通信装置（１００）へ送信するために構成される、そのような電気器具において、前記ワイヤレス通信インターフェース（６０，６０Ｃ）は前記切換部材（２４）の切換状態に依存して前記集塵機（７０，８７０）との制御接続（Ｓ１，Ｓ２）を成立させるために少なくとも１つのログオンメッセージ（４４０）を前記外部通信装置（１００）へ送信するために構成されることを特徴とする電気器具。
【請求項２】
前記ワイヤレス通信インターフェース（６０，６０Ｃ）は、前記外部通信装置（１００）へ少なくとも１つの制御コマンドが初回に送信される前に、少なくとも１つのログオンメッセージ（４４０）を前記外部通信装置（１００）へ送信するために構成されることを特徴とする、請求項１に記載の電気器具。
【請求項３】
前記切換部材（２４）を除いてログオンメッセージ（４４０）をリリースするために意図される、またはそれに適した操作部材を有さないことを特徴とする、請求項１または２に記載の電気器具。
【請求項４】
前記ワイヤレス通信インターフェース（６０，６０Ｃ）は前記外部通信装置（１００）と暗号化および／または認証された通信をするために構成され、特に前記外部通信装置（１００）へ少なくとも１つの制御コマンドを送信するために構成され、暗号化された通信を構築するための暗号化情報の伝送は好都合には前記切換部材（２４）の切換状態に依存し、または前記切換部材（２４）の操作によってリリース可能であることを特徴とする、請求項１から３のうちいずれか１項に記載の電気器具。
【請求項５】
前記ワイヤレス通信インターフェース（６０，６０Ｃ）は前記集塵機（７０，８７０）の動作ステータスを、特に切換状態を照会するためのステータス照会を前記外部通信装置（１００）へ送信するために構成され、および／または前記集塵機（７０，８７０）の動作ステータスを、特に切換状態を含むステータスメッセージを受信するために構成されることを特徴とする、請求項１から４のうちいずれか１項に記載の電気器具。
【請求項６】
制御接続（Ｓ１，Ｓ２）に関わる少なくとも１つの通信情報を出力するための、および／または動作ステータスを、特に制御接続（Ｓ１，Ｓ２）の成立を表示するための、特に光学式および／または音響式の表示装置（４４）を有することを特徴とする、請求項１から５のうちいずれか１項に記載の電気器具。
【請求項７】
前記表示装置（４４）は前記エネルギー蓄積器モジュール（４０）の充電状態表示器の構成要素を形成し、前記充電状態表示器は前記エネルギー蓄積器モジュール（４０）に存在するエネルギー容量を表示するために意図および／または構成されることを特徴とする、請求項６に記載の電気器具。
【請求項８】
前記ワイヤレス通信インターフェース（６０，６０Ｃ）はワイヤレス制御接続（Ｓ１，Ｓ２）が暫定的な制御接続（Ｓ１，Ｓ２）であるという少なくとも１つの暫定識別記号を少なくとも１つのログオンメッセージ（４４０）へ書き込むために構成されることを特徴とする、請求項１から７のうちいずれか１項に記載の電気器具。
【請求項９】
前記ワイヤレス通信インターフェース（６０，６０Ｃ）は前記集塵機（７０，８７０）をスイッチオンするためおよび／または制御接続（Ｓ１，Ｓ２）を維持するために意図される制御コマンドを、前記切換部材（２４）が駆動モータ（２２）をスイッチオンする切換位置にある限りにおいて反復的に送信するために構成されることを特徴とする、請求項１から８のうちいずれか１項に記載の電気器具。
【請求項１０】
前記ワイヤレス通信インターフェース（６０，６０Ｃ）は制御接続（Ｓ１，Ｓ２）を承認する前記外部通信装置（１００）のログオン承認メッセージ（４４５）を受信するために、および／または前記外部通信装置（１００）のアドレス識別記号を保存するために構成されることを特徴とする、請求項１から９のうちいずれか１項に記載の電気器具。
【請求項１１】
前記ワイヤレス通信インターフェース（６０，６０Ｃ）は前記電気器具を特徴づける量に依存して前記外部通信装置（１００）の、特に前記集塵機（７０，８７０）のコンフィグレーションをするための、特に作業設定および／または吸引出力のコンフィグレーションをするための、少なくとも１つのコンフィグレーションメッセージ（４６５）を送信するために構成されることを特徴とする、請求項１から１０のうちいずれか１項に記載の電気器具。
【請求項１２】
前記ワイヤレス通信インターフェース（６０，６０Ｃ）は、動作中断がなされたときに、特に前記エネルギー蓄積器モジュール（４０）と前記工作機械（２０）が互いに分断されたときに、および／または充電器具（２２０）で前記エネルギー蓄積器モジュール（４０）が充電されているときに、および／または事前設定されたタイムスパンの後に、制御接続（Ｓ１，Ｓ２）を分断するために構成されることを特徴とする、請求項１から１１のうちいずれか１項に記載の電気器具。
【請求項１３】
前記切換部材（２４）を有する前記工作機械（２０）に供給をするための前記エネルギー蓄積器モジュール（４０）として構成され、前記器具インターフェースは前記工作機械（２０）に電気エネルギー供給をするための電気式の器具・供給接点（３５２）を有し、前記エネルギー蓄積器モジュール（４０）は前記器具・供給接点（５２）とは別個のデータインターフェース（３４，５４）を通じて、特にバスインターフェースを通じて、および／または前記器具・供給接点（５２）を通る通電の検出を参照して、前記切換部材（２４）の切換状態に関する情報を判定することを特徴とする、請求項１から１２のうちいずれか１項に記載の電気器具。
【請求項１４】
集塵機（７０，８７０）の構成要素としての外部通信装置（１００）であって、前記集塵機（７０，８７０）は工作機械（２０）または前記工作機械（２０）へ電気供給をするためのエネルギー蓄積器モジュール（４０）の形態の請求項１から１３のうちいずれか１項に記載の電気器具によって制御可能であるとともに、前記工作機械（２０）により生成されるダストを吸い出すために意図され、前記外部通信装置（１００）と前記電気器具とが特に１つのシステム（１０）を形成し、前記エネルギー蓄積器モジュール（４０）は前記工作機械（２０）と取外し可能に結合するための器具インターフェースを備えるモジュールハウジング（４１）を有し、前記工作機械（２０）は、工作物（Ｗ）の加工のために意図される工具（３８）が配置された、または配置可能な工具収容部（２３）を駆動するための駆動モータ（２２）を有し、前記駆動モータ（２２）は前記工作機械（２０）および／または前記エネルギー蓄積器モジュール（４０）の切換部材（２４）を用いて切換可能であり、前記外部通信装置（１００）は前記電気器具の前記ワイヤレス通信インターフェース（１００）とワイヤレス通信するために構成されるとともに、前記切換部材（２４）の切換状態に依存して前記集塵機（７０，８７０）を制御するための、特にスイッチオンおよび／またはスイッチオフするための、少なくとも１つの制御コマンドをワイヤレス制御接続（Ｓ１，Ｓ２）を介して前記ワイヤレス通信インターフェース（６０，６０Ｃ）から受信するために構成される、そのような外部通信装置において、前記外部通信装置（１００）は制御接続（Ｓ１，Ｓ２）を成立させるために前記ワイヤレス通信インターフェースとの（６０，６０Ｃ）から少なくとも１つのログオンメッセージ（４４０）を受信するために構成されることを特徴とする外部通信装置。
【請求項１５】
動作準備完了モードにあるときには少なくとも１つのログオンメッセージ（４４０）を受信する準備が整っており、作業モードにあるときには少なくとも１つのログオンメッセージ（４４０）を受信する準備が整っていないことを特徴とする、請求項１４に記載の外部通信装置（１００）。
【請求項１６】
ログオン操作部材を用いて動作準備完了モードへと切換可能であり、および／または前記集塵機（７０，８７０）のための電気エネルギー供給部と前記集塵機（７０，８７０）が接続された後に動作準備完了モードへと切り換わることを特徴とする、請求項１４または１５に記載の外部通信装置（１００）。
【請求項１７】
動作準備完了モードを表示するための光学式および／または音響式の表示手段を有し、および／または事前設定された時間もしくは設定可能な時間の後に動作準備完了モードを終了することを特徴とする、請求項１４から１６のいずれか１項に記載の外部通信装置（１００）。
【請求項１８】
動作準備完了モードにあるとき少なくとも１つのログオンメッセージ（４４０）を送信するよう前記電気器具に要求するための少なくとも１つの要求メッセージを前記外部通信装置（００）へ送信するために構成されることを特徴とする、請求項１４から１７のいずれか１項に記載の外部通信装置（１００）。
【請求項１９】
暫定的なカテゴリーの制御接続（Ｓ１，Ｓ２）として前記電気器具との間で制御接続（Ｓ１，Ｓ２）を成立させるために構成され、好ましくは操作器具との間で少なくとも１つのワイヤレス制御接続（Ｓ１，Ｓ２）を恒常的なカテゴリーで成立させるために構成されることを特徴とする、請求項１４から１８のいずれか１項に記載の外部通信装置（１００）。
【請求項２０】
暫定的なカテゴリーのただ１つのワイヤレス制御接続（Ｓ１，Ｓ２）を前記外部通信装置（１００）との間で成立可能であり、および／または暫定的なカテゴリーの制御接続（Ｓ１，Ｓ２）は工作機械（２０）、特に手動工作機械（２０）、および前記工作機械（２０）のためのエネルギー蓄積器モジュール（４０）のカテゴリーに属する集塵機（７０，８７０）を制御するための装置にのみ留保されることを特徴とする、請求項１４から１９のいずれか１項に記載の外部通信装置（１００）。
【請求項２１】
暫定的なカテゴリーのワイヤレス制御接続（Ｓ１，Ｓ２）を成立させるために第１の操作行為が前記外部通信装置（１００）で必要であり、恒常的なカテゴリーのワイヤレス制御接続（Ｓ１，Ｓ２）は第１の操作行為とは異なる特にさらに難しい第２の操作行為によって成立可能であり、および／または恒常的な設定によって、特に電気式のログオン操作部材またはソフトウェアで調整可能な設定によって成立し、または成立可能であることを特徴とする、請求項１４から２０のいずれか１項に記載の外部通信装置（１００）。
【請求項２２】
事前設定された、または調整可能なタイムスパンの後に、および／または前記集塵機（７０，８７０）の動作中断がなされたときに、特に前記集塵機（７０，８７０）がスイッチオフされたときに、および／または前記集塵機（７０，８７０）が電気エネルギー供給部から分断されたときに、前記電気器具との制御接続（Ｓ１，Ｓ２）を終了させることを特徴とする、請求項１４から２１のいずれか１項に記載の外部通信装置（１００）。
【請求項２３】
前記ワイヤレス通信インターフェース（６０，６０Ｃ）から送信される特に少なくとも１つのログオンメッセージ（４４０）を含んだ信号の信号強度に依存して制御接続（Ｓ１，Ｓ２）を成立させるために構成され、前記外部通信装置（１００）は信号強度が第１の信号閾値を上回っているときに、特に前記ワイヤレス通信インターフェース（６０，６０Ｃ）と前記外部通信装置（１００）の間の１ｍ未満の距離を報知しているときに、このワイヤレス通信インターフェース（６０，６０Ｃ）のログオンメッセージ（４４０）を制御接続の即座の成立または優先的な成立のために優先し、および／または前記外部通信装置（１００）は、制御接続（Ｓ１，Ｓ２）の成立に関して互いに競合する電気器具があるとき、高い信号強度を有するほうの電気器具を制御接続（Ｓ１，Ｓ２）の成立のために優先し、および／または前記外部通信装置（１００）はログオンメッセージ（４４０）に対する応答を、特にログオン承認メッセージ（４４５）を送信するための応答時間を、前記ワイヤレス通信インターフェース（６０，６０Ｃ）の信号の信号強度に依存して調整することを特徴とする、請求項１４から２２のいずれか１項に記載の外部通信装置（１００）。
【請求項２４】
制御接続（Ｓ１，Ｓ２）が断絶したときに、および／または事前設定された、または設定可能なタイムスパン内に前記電気器具から制御コマンドを受け取らなかったときに、吸引動作を終了させることを特徴とする、請求項１４から２３のいずれか１項に記載の外部通信装置（１００）。
【請求項２５】
前記電気器具を特徴づける量に依存して前記外部通信装置（１００）を、特に前記集塵機（７０，８７０）をコンフィグレーションするための、特に作業設定および／または吸引出力をコンフィグレーションするための、少なくとも１つのコンフィグレーションメッセージ（４６５）を受信するために構成されることを特徴とする、請求項１４から２４のいずれか１項に記載の外部通信装置（１００）。
【請求項２６】
少なくとも２つの電気器具およびそのワイヤレス通信インターフェース（６０，６０Ｃ）との間で制御接続（Ｓ１，Ｓ２）を成立させるための認証パラメータまたはログオンパラメータおよび／または暗号化パラメータを、特に認証パラメータまたはログオンパラメータに割り当てられた暗号化パラメータを、保存するための記憶装置を有することを特徴とする、請求項１４から２５のいずれか１項に記載の外部通信装置（１００）。
【請求項２７】
少なくとも１つの制御接続（Ｓ１，Ｓ２）に追加して少なくとも１つの遠隔操作装置によって制御可能であることを特徴とする、請求項１４から２６のいずれか１項に記載の外部通信装置（１００）。
【請求項２８】
前記集塵機（７０，８７０）を制御するために、特にスイッチオンおよび／またはスイッチオフするために、前記電気器具とは異なる制御操作部材により生成される少なくとも１つの制御コマンドを制御接続（Ｓ１，Ｓ２）に対して優先するために構成され、当該制御コマンドが優先制御コマンドを形成することを特徴とする、請求項１４から２７のいずれか１項に記載の外部通信装置（１００）。
【請求項２９】
前記制御操作部材は前記集塵機（７０，８７０）の切換部材（２４）を含み、および／または前記集塵機（７０，８７０）に付属する、もしくは前記集塵機（７０，８７０）の構成要素を形成する遠隔制御装置を含むことを特徴とする、請求項１４から２８のいずれか１項に記載の外部通信装置（１００）。
【請求項３０】
工作機械（２０）または前記工作機械（２０）へ電気供給をするためのエネルギー蓄積器モジュール（４０）の形態の電気器具のための方法であって、前記エネルギー蓄積器モジュール（４０）は前記工作機械（２０）と取外し可能に結合するための器具インターフェースを備えるモジュールハウジング（４１）を有し、前記工作機械（２０）は、工作物（Ｗ）の加工のために意図される工具（３８）が配置された、または配置可能な工具収容部（２３）を駆動するための駆動モータ（２２）を有し、前記駆動モータ（２２）は前記工作機械（２０）および／または前記エネルギー蓄積器モジュール（４０）の切換部材（２４）を用いて切換可能であり、前記電気器具は、前記工作機械（２０）により生成されるダストを吸い出すために意図される集塵機（７０，８７０）の構成要素を形成する外部通信装置（１００）とワイヤレス通信するためのワイヤレス通信インターフェース（６０，６０Ｃ）を有し、前記ワイヤレス通信インターフェース（６０，６０Ｃ）は前記切換部材（２４）の切換状態に依存して前記集塵機（７０，８７０）を制御するための、特にスイッチオンおよび／またはスイッチオフするための、少なくとも１つの制御コマンドをワイヤレス制御接続（Ｓ１，Ｓ２）を介して前記外部通信装置（１００）へ送信するために構成される、そのような方法において、前記切換部材（２４）の切換状態に依存して前記集塵機（７０，８７０）との制御接続（Ｓ１，Ｓ２）を成立させるために前記ワイヤレス通信インターフェース（６０，６０Ｃ）を介して少なくとも１つのログオンメッセージ（４４０）が前記外部通信装置（１００）へ送信されることを特徴とする方法。
【発明の詳細な説明】
【技術分野】
【０００１】
本発明は、工作機械または工作機械へ電気供給をするためのエネルギー蓄積器モジュールの形態の電気器具に関し、エネルギー蓄積器モジュールは工作機械と取外し可能に結合するための器具インターフェースを備えるモジュールハウジングを有し、工作機械は、工作物の加工のために意図される工具が配置された、または配置可能な工具収容部を駆動するための駆動モータを有し、駆動モータは工作機械および／またはエネルギー蓄積器モジュールの切換部材を用いて切換可能であり、電気器具は、工作機械により生成されるダストを吸い出すために意図される集塵機の構成要素を形成する外部通信装置とワイヤレス通信するためのワイヤレス通信インターフェースを有し、ワイヤレス通信インターフェースは、切換部材の切換状態に依存して集塵機を制御するための、特にスイッチオンおよび／またはスイッチオフするための、少なくとも１つの制御コマンドをワイヤレス制御接続を介して外部通信装置へ送信するために構成される。
【０００２】
さらに本発明は、集塵機の構成要素としての外部通信装置に関し、集塵機は工作機械または工作機械へ電気供給をするためのエネルギー蓄積器モジュールの形態の上記の種類の電気器具によって制御可能であるとともに、工作機械により生成されるダストを吸い出すために意図され、エネルギー蓄積器モジュールは工作機械と取外し可能に結合するための器具インターフェースを備えるモジュールハウジングを有し、工作機械は、工作物の加工のために意図される工具が配置された、または配置可能な工具収容部を駆動するための駆動モータを有し、駆動モータは工作機械および／またはエネルギー蓄積器モジュールの切換部材を用いて切換可能であり、外部通信装置は電気器具のワイヤレス通信インターフェースとワイヤレス通信するために構成されるとともに、切換部材の切換状態に依存して集塵機を制御するための、特にスイッチオンおよび／またはスイッチオフするための、少なくとも１つの制御コマンドをワイヤレス制御接続を介してワイヤレス通信インターフェースから受信するために構成される。
【背景技術】
【０００３】
冒頭に述べた種類のエネルギー蓄積器モジュールが、たとえば特許文献１から明らかとなる。手動工作機械がスイッチオンされると、エネルギー蓄積器モジュールが集塵機をスイッチオンするための相応の切換信号を集塵機の外部通信装置に送信する。しかしこのシステムは不具合が生じやすい。理論上、同じ種類の複数の電気器具が、たとえば集塵機ないし外部通信装置の受信到達距離内にある複数の電気器具が、集塵機をスイッチオンおよびスイッチオフできるからである。特にスイッチオフが問題であり、それは、たとえばそのために吸い出されるべきダストが周囲に到達することがあり、それによって損傷ばかりでなく健康上の被害も生じかねないからである。
【先行技術文献】
【特許文献】
【０００４】
【特許文献１】独国特許出願公開第１０２０１２００３０７３Ａ１号明細書
【発明の概要】
【０００５】
したがって本発明の課題は、工作機械またはエネルギー蓄積器モジュールの形態の改良された電気器具、ならびに改良された外部通信装置を提供することにある。
【０００６】
この課題を解決するために、冒頭の述べた種類の電気器具において、ワイヤレス通信インターフェースは切換部材の切換状態に依存して集塵機との制御接続を成立させるために少なくとも１つのログオンメッセージを外部通信装置へ送信するために構成されることが意図される。
【０００７】
ログオンメッセージをリリースする切換部材の切換状態は、たとえば工作機械の駆動モータをスイッチオンするためのスイッチオン操作である。
【０００８】
方法は、工作機械または工作機械へ電気供給をするためのエネルギー蓄積器モジュールの形態の電気器具を意図し、エネルギー蓄積器モジュールは工作機械と取外し可能に結合するための器具インターフェースを備えるモジュールハウジングを有し、工作機械は、工作物の加工のために意図される工具が配置された、または配置可能な工具収容部を駆動するための駆動モータを有し、駆動モータは工作機械および／またはエネルギー蓄積器モジュールの切換部材を用いて切換可能であり、電気器具は、工作機械により生成されるダストを吸い出すために意図される集塵機の構成要素を形成する外部通信装置とワイヤレス通信するためのワイヤレス通信インターフェースを有し、ワイヤレス通信インターフェースは切換部材の切換状態に依存して集塵機を制御するための、特にスイッチオンおよび／またはスイッチオフするための、少なくとも１つの制御コマンドをワイヤレス制御接続を介して外部通信装置へ送信するために構成される。ワイヤレス通信インターフェースは、切換部材の切換状態に依存して集塵機との制御接続を成立させるために少なくとも１つのログオンメッセージを外部通信装置へ送信する。
【０００９】
電気器具は、たとえば外部通信装置とワイヤレス通信を行うエネルギー蓄積器モジュールであってよい。あるいは電気器具は工作機械そのもの、たとえばねじ締め機械、ドリル機械、鋸、フライス加工機などであってもよい。工作機械は手動工作機械であるのが好都合である。
【００１０】
電気器具において、器具インターフェースは、他の器具インターフェースの差込・対応・形状接合輪郭へ差込軸に沿って差し込むための差込・形状接合輪郭と、差込・形状接合輪郭と差込・対応・形状接合輪郭が差込組付けされたときに互いに電気接触するエネルギー蓄積器モジュールと工作機械または集塵機との間での電気接続のために他の器具インターフェースの電気的な対応接点と接触するための電気接点、特に供給接点とを有することが意図されるのが好ましい。
【００１１】
エネルギー蓄積器モジュールは、モジュールハウジングと、モジュールハウジングの中に収容されたエネルギー蓄積器、特に、再充電可能な少なくとも１つの電気式の蓄積器セルおよび工作機械または集塵機へのエネルギー供給のための電気エネルギーを提供するために意図される供給接点を備える構造とを有することが意図されるのが好ましい。
【００１２】
課題を解決するために、電気器具との通信をすることが意図される冒頭に述べた種類の外部通信装置において、外部通信装置は、制御接続を成立させるためにワイヤレス通信インターフェースから少なくとも１つのログオンメッセージを受信するために構成されることが意図される。電気器具のワイヤレス通信インターフェースが、好ましくは切換部材の切換状態に依存して集塵機との制御接続を成立させるために、少なくとも１つのログオンメッセージを外部通信装置へ送信する。外部通信装置は集塵機から取外し可能なモジュールとして構成されていてよく、または、集塵機の固定的な構成要素を形成する。集塵機は、たとえば外部通信装置のためのモジュール収容部を有する。
【００１３】
ログオンメッセージは、たとえば手動工作機械および／またはエネルギー蓄積器モジュールなどの認証パラメータおよび／または識別記号表示を含むのが好ましい。基本思想は、工作機械がスイッチオンされる切換部材のみによって、外部通信装置で電気器具のログオンを行えることにある。別個の操作キーやその他の操作部材が電気器具に必要ない。
【００１４】
ログオンメッセージに含まれる識別記号表示またはその中に含まれる認証パラメータは、たとえば外部通信インターフェースにすでに保存されていてよく、それにより、これを手掛かりにして外部通信装置が、たとえば集塵機そのものが、制御接続を成立させるために実際に認証されている、またはそれに適した器具が、制御接続を成立させようとしていることを認識することができる。たとえば、パラメータ化インターフェースを通じての、たとえばＵＳＢインターフェースを通じてのソフトウェア・パラメータ化を用いて、ログオンメッセージに含まれていて電気器具を識別表示または認証するパラメータを、たとえば認証パラメータを、外部通信インターフェースでパラメータ化可能であることが意図されていてよい。あるいは、以前の制御接続の構築によるこのような種類の少なくとも１つのパラメータが外部通信インターフェースにまだ保存されていて、再び呼び出せることも可能である。
【００１５】
ワイヤレス通信インターフェースは、外部通信装置へ少なくとも１つの制御コマンドが初回に送信される前に、少なくとも１つのログオンメッセージを外部通信装置へ送信するために構成されることが意図されるのが好ましい。このとき、電気器具はいわばそのつどの制御メッセージまたは制御コマンドの送信前に常に、まずログオンを実行することが意図される。すなわち、たとえば電気器具が初回にスイッチオンされるとき、または、たとえばエネルギー蓄積器モジュールが工作機械のスイッチオンすなわち切換部材の操作を認識したとき、それによってまずログオンメッセージがリリースされ、すなわち、外部通信装置で制御接続を成立させるためのログオンがリリースされる。
【００１６】
電気器具は、たとえば工作機械および／またはエネルギー蓄積器モジュールは、ログオンメッセージをリリースするために意図される、またはそれに適した操作部材、たとえばキーなどを有することが原則として可能であるが、ただし絶対に必要というわけではない。少なくとも１つのログオンメッセージまたはログオン手続がそれ以外の方策によって、たとえば工作機械へのエネルギー蓄積器モジュールの初回の配置によって、リリースされることも可能である。しかしながら、電気器具が切換部材を除いて、ログオンメッセージをリリースするために意図される、またはそれに適した操作部材を有さないことが意図されるのが好ましい。
【００１７】
それに応じて外部通信装置においては、それ以前にログオンメッセージが受信されているときにのみ、または制御接続が有効に確立されているときにのみ、制御コマンドを受け入れると好ましい。
【００１８】
１つの好都合な方策は、ワイヤレス通信インターフェースが、外部通信装置と暗号化および／または認証された通信をするために構成され、特に、外部通信装置へ少なくとも１つの制御コマンドを送信するために構成されることを意図する。この意味に即して、集塵機または外部通信装置も同じく暗号化および／または認証された通信をするために構成されると同じく好ましい。制御接続は、特に、常に暗号化または認証されている制御接続である。それにより、認証されていないデバイスが制御接続に割り込み、あるいはその他の仕方で濫用がなされることが回避され、もしくは少なくとも高い蓋然性で排除される。集塵機においては、原則として、それがスイッチオンまたはスイッチオフされること以外には、比較的少数の誤機能しか引き起こされ得ない。にもかかわらず暗号化は濫用に対する防護となる。ディフィー・ヘルマン鍵共有のような形式の安全性標準が、特にブルートゥース（登録商標）をベースとする制御接続との関連で好都合である。特に、いわゆる暗号法に基づく認証が好ましい。ログオンキーが最初のログオン時に取り決められるのが好ましい。
【００１９】
ワイヤレス通信インターフェースは、集塵機の動作ステータスを、特に切換状態を照会するためのステータス照会を外部通信装置へ送信するために構成され、および／または集塵機の動作ステータス、特に切換状態を含んでいるステータスメッセージを受信するために構成されることが意図されるのが好ましい。それに応じて、外部通信装置も動作ステータスないしステータスメッセージを送信するために構成されるのが好ましい。外部通信装置は、電気器具および特にそのワイヤレス通信インターフェースが集塵機の動作状態を照会するステータス照会をいわば理解する。動作ステータスとは、たとえば集塵機が運転されているか否か、どれだけの回転数を有しているか、集塵機がどのような出力データを有しているかなどの情報である。
【００２０】
電気器具が表示装置、たとえば光学式の表示装置、音響式の表示装置、またはこの両方を、制御接続に関わる少なくとも１つの通信情報の出力のために、および／または特に制御接続の成立などの動作ステータスの表示のために有していると好ましい。表示装置はたとえばスピーカ、発光表示器、ＬＥＤ表示器、ＬＣＤ表示器などを含む。通信情報は、たとえば制御接続の最新の存否または状態を対象とすることができる。操作者は表示装置の光学式または音響式の情報を参照して、たとえば制御接続が構築されていること、もしくはすでに確立されていることを認識することができる。
【００２１】
表示装置がエネルギー蓄積器モジュールの充電状態表示器の構成要素を形成すると特別に好ましく、充電状態表示器は、エネルギー蓄積器モジュールに存在しているエネルギー容量または充電容量を表示するために意図および／または構成される。すなわち、通信情報または制御接続に関わる動作ステータスを表示するために、充電状態表示器がいわば追加的に利用される。たとえば光学式の表示器における第１の色は充電状態を表示するための役目を果たすことができ、それに対して１つの色は、通信情報または動作ステータスまたはこの両方を出力するための役目を果たす。それぞれ異なる視覚的な特徴、たとえば視覚的な表示パターンも、時間的な種別のものやグラフィックな種別のものも含めて、表示装置がエネルギー容量または充電状態を表示できるだけでなく、制御接続の通信情報および／または動作ステータスも表示できるようにする役目を果たすことができる。電気器具は、少なくとも１つのログオンメッセージへ暫定識別記号を書き込むために構成されると好ましく、暫定識別記号は制御接続がワイヤレス式であることを特徴づける。外部通信装置との間で成立可能であるこれ以外の制御接続は、たとえば恒常的な制御接続である。
【００２２】
ワイヤレス通信インターフェースは、集塵機をスイッチオンするため、および／または制御接続を維持するために意図される制御コマンドを、切換部材が駆動モータをスイッチオンする切換位置にある限りにおいて、反復的に送信するために構成されることが意図されるのが好ましい。たとえばワイヤレス通信インターフェースは、データ接続ないし制御接続が正常であることを受信する外部通信装置に報知する空のデータパッケージを送信することができる。さらに、集塵機をスイッチオンするための切換コマンドが複数回送信されることが可能である。
【００２３】
外部通信装置においては、制御接続が断絶したとき、および／または事前設定された、もしくは事前設定可能な、もしくは調整可能なタイムスパンの間に電気器具が制御コマンドを受け取らなかったときに、吸引動作を終了させることが意図されるのが好ましい。すなわち、たとえばスイッチオン信号が外部通信に到来しなくなったとき、または制御接続が切断されたことを認識したとき、外部通信装置は集塵機での吸引動作を停止させる。
【００２４】
あるいは原則として、制御接続が断絶または切断されたとき集塵機そのものは引き続き運転することも可能であり、それにより、制御接続が断絶したときや制御接続に障害が生じたときにも、少なくとも確実な吸出し動作そのものは保証される。
【００２５】
電気器具ないしそのワイヤレス通信インターフェースは、制御接続を承認するログオン承認メッセージを受信するために構成されるのが好都合である。この意味に即して外部通信装置は、制御接続を承認するログオン承認メッセージを送信するために構成されるのが好都合である。電気器具は、いわば制御接続を成立させるために外部通信装置にログオンし、このことを外部通信装置が相応にログオン承認メッセージによって承認する。
【００２６】
さらに、電気器具は外部通信装置のアドレス識別記号を保存するために構成されると好ましい。このとき、電気器具が複数の外部通信装置ないしそのアドレス識別記号を保存できると好ましい。このようにして電気器具は、たとえばそれぞれ異なるたとえば少なくとも２つの外部通信装置で非常に迅速にログオン可能である。器具はいわば記憶装置を読み出して、自身に既知である外部通信装置ないし既知の集塵機でログオンをする。
【００２７】
電気器具ないしそのワイヤレス通信インターフェースは、当該電気器具を特徴づける量に依存してコンフィグレーションをするための、たとえば作業位置および／または吸引出力、外部通信装置または集塵機をコンフィグレーションするための、少なくとも１つのコンフィグレーションメッセージを送信するために構成されると好ましい。電気器具を特徴づける量は、たとえば次の量のうち１つまたは複数を含むことができる：電気器具の型式（鋸、フライス工具など）、ダスト分類、電気器具の駆動モータの回転数設定、電気器具の最新の消費電力、器具の圧着力、測定されたダスト発生量など。
【００２８】
本発明の１つの好ましい実施形態は、電気器具が、切換部材を有する工作機械に供給をするためのエネルギー蓄積器モジュールとして構成されることを意図し、器具インターフェースは工作機械に電気エネルギー供給をするための器具・供給接点を有し、エネルギー蓄積器モジュールは器具・供給接点とは別個のデータインターフェース、特にバスインターフェースを通じて、および／または器具・供給接点を介しての通電の検出を参照して、切換部材の切換状態に関する情報を判定する。このように、エネルギー蓄積器モジュールは切換部材を自身のパネルに有するのではなく、工作機械の切換部材の切換状態を検出する。もっとも単純なケースでは、たとえば器具・供給接点を通って流れる通電が検出される。あるいは、たとえばバスインターフェースなどのデータインターフェースを介してのデータ通信も、切換状態の判定に利用される。すなわち、たとえば工作機械がデータインターフェースを介してスイッチオン信号を送信したとき、すなわち、たとえば工作機械の駆動モータがスイッチオンされたとき、このことがエネルギー蓄積器モジュールにより評価されて、外部通信装置でのログオンを実行し、および／または集塵機をスイッチオンし、すなわち制御コマンドを送信する。エネルギー蓄積器モジュールと工作機械の間の初期化通信だけに基づいて、すでに切換部材の切換状態を判定可能であることも可能である。すなわち操作者が切換部材を操作したとき、すなわち駆動モータをスイッチオンしようとしたとき、工作機械がたとえば典型的な情報を、たとえば最新の充電状態、最大の供給電圧などを、エネルギー蓄積器モジュールに照会する。その後で初めて駆動モータがスイッチオンされる。このような照会に基づいてエネルギー蓄積器モジュールは、工作機械の切換部材が操作されたことを認識することができる。
【００２９】
補足として述べておくと、集塵機をスイッチオフするための制御コマンドは遅延動作時間の後で初めて与えられるのが好ましく、すなわち、たとえば工作機械の切換部材が放された後に、集塵機をスイッチオフするための制御コマンドは遅延をもって初めて送信される。このようにして、工作機械により生成される、または生成可能なダストの効率的で遅延動作式の吸出しが保証される。
【００３０】
さらに、電気器具またはそのワイヤレス通信インターフェースは、動作中断がなされたときに、たとえばエネルギー蓄積器モジュールと工作機械が互いに分断されたときに、および／またはエネルギー蓄積器モジュールが充電器具で充電されるときに、および／または事前設定されたタイムスパンの後に、制御接続を分断するために構成されると好ましい。たとえば電気器具は、制御接続が必要なくなったことを外部通信装置に報知する。事前設定されるタイムスパンは、たとえば１時間または２時間を含むことができる。すなわち、たとえば電気器具が長い時間のあいだ使用されなかったとき、制御接続がいわばキャンセルされて、それにより外部通信装置または集塵機は、別の電気器具との別の制御接続を構築ないし確立するための準備が整うことになる。外部通信装置にはたとえば電気器具についての認証パラメータが保存されていて、これが当該電気器具を、制御接続の成立ないし維持または利用について資格のある、もしくは認証された器具として認定する。外部通信装置は、たとえば動作中断があったときに認証パラメータを再びリセットまたは消去することができる。
【００３１】
ここで付言しておくと、当然ながら外部通信装置も動作中断を認識することができ、それは、たとえば事前設定されたタイムスパンのあいだ電気器具からスイッチオンメッセージが受信されなかった場合である。エネルギー蓄積器モジュールで制御接続が解消されるのは、たとえばそれが充電器具で充電されているときである。このとき、電気器具が制御接続をいわば能動的に手放すことが可能である。すなわち、たとえばエネルギー蓄積器モジュールは工作機械から分断されたとき、または充電器具に接続されたとき（もしくはこの両方）、制御接続を終了するための終了メッセージを外部通信装置に送信することができる。
【００３２】
１つの好ましいコンセプトは、外部通信装置において、ログオンメッセージを用いて制御接続を成立させようとするそのつど最初の電気器具が、制御接続を実際に成立させることが許されることを意図する。たとえば工作機械の形態の２つの競合する電気器具が、それぞれ集塵機ないし外部通信装置との制御接続を成立させようと試みることが起こり得る。その際にはそれぞれ最初の電気器具が、外部通信装置または集塵機によって受け入れられる。
【００３３】
外部通信装置または集塵機においては、動作準備完了モードにあるとき少なくとも１つのログオンメッセージを受信する準備が整っており、作業モードのときには少なくとも１つのログオンメッセージを受信する準備が整っていないことが意図されるのが好ましい。いわば標準的な作業モードにあるとき、制御接続がすでに存在しているはずである。それに対して動作準備完了モードでは、電気器具が外部通信装置または集塵機を制御することができる制御接続を成立可能であることが可能である。
【００３４】
外部通信装置または集塵機においては、ログオン操作部材を用いて動作準備完了モードへと切換可能であり、および／または集塵機への電気エネルギー供給部と集塵機との接続後に動作準備完了モードへと切り換わることが意図されるのが好都合である。ログオン操作部材は、たとえば操作キーや操作スイッチであってよい。集塵機または外部通信装置は、たとえば一種の認証キーを有する。操作者が操作部材を操作したとき、動作準備完了モードが作動化し、または作動化可能である。あるいは、電源ケーブルまたは蓄電池パックまたはその他のエネルギー蓄積器モジュールを用いて、たとえばエネルギー供給網などの電気エネルギー供給部と集塵機または外部通信装置が接続された後に、外部通信装置または集塵機またはその両方が、たとえばそれ自体として通常の作業モードから動作準備完了モードへと切り換わることも可能である。すなわち、操作者がたとえば接続ケーブルを使って集塵機を電源差込コンセントに接続すると、あるいは蓄電池パックに差し込むと、集塵機は制御接続のためにいわば準備が整い、すなわち動作準備完了モードになる。動作準備完了モードは、一方では時間的な条件によって終了させることができ、他方では能動的に終了させることができる。たとえば電源からの外部通信装置または集塵機の分断は、動作準備完了モードを終了させる引き金となる。あるいは操作者が操作部材を、たとえば動作準備完了モードを終了させるために専用に設けられた操作部材を、および／またはログオン操作部材を操作して、動作準備完了モードをいわば能動的に終了させることも可能である。
【００３５】
外部通信装置は、動作準備完了モードを表示するための光学式および／または音響式の表示手段を有することが意図されるのが好ましい。たとえばＬＥＤが点灯し、および／またはスピーカが相応の信号を生成する。操作者はこれを手掛かりに、動作準備完了モードがスイッチオンされていることを認識する。集塵機または外部通信装置の表示手段がいわば多機能であることも可能である。たとえば、第１の動作モードでは集塵機の動作状態、たとえば充填レベル、必要な集塵機袋交換などを表示する表示手段が設けられていてよく、それに対して第２の動作モードでは表示手段が動作準備完了モードを表示する。
【００３６】
さらに、外部通信装置または集塵機が事前設定された、または設定可能な時間の後に動作準備完了モードを終了すると好ましい。たとえば、ログオン操作部材の操作後に、および／または電流供給部もしくはエネルギー供給部への集塵機の接続後に動作準備完了モードがアクティブになり、たとえば２０秒、４０秒、１分などである事前設定された時間の後に、動作準備完了モードが再び終了することが意図されていてよい。ログオン操作部材をあらためて操作することで、および／または電気エネルギー供給部が外されて再接続されることで、動作準備完了モードを再びアクティブにすることができる。
【００３７】
本発明の１つの態様は、外部通信装置または集塵機が動作準備完了モードで、外部通信装置へ少なくとも１つのログオンメッセージを送信するように電気器具へ要求するための少なくとも１つの要求メッセージを送信するために構成されることを意図することができる。これはいわゆるブロードキャストメッセージであってよい。すなわち、たとえば外部通信装置において現在どの電気器具も、特にどの工作機械も、集塵機をスイッチオンおよび／またはスイッチオフするためにログオンしていないときに、外部通信装置が要求メッセージを送信する。
【００３８】
別のシナリオは、すでに認証されている電気器具からログオンメッセージまたは応答メッセージが到来しない、たとえば１秒または複数秒の事前設定された待機時間の後に、外部通信装置が、制御接続を成立させるのに適した、またはその準備が整っている器具に、すなわちエネルギー蓄積器モジュールまたは工作機械またはこの両方に、ブロードキャスト要求を送信することを意図することができる。
【００３９】
ここで付言しておくと、当然ながら電気器具ないしそのワイヤレス通信インターフェースも、制御接続を成立させる準備が整っている、または準備完了に切り換えられている（たとえば動作準備完了モードに入っている）外部通信装置へ１つまたは複数のログオンメッセージを送信することができる。すなわちワイヤレス通信インターフェースまたは電気器具は、１つの外部通信装置または集塵機との接続が存在していないとき、他の集塵機との制御接続を成立させようと試みる。
【００４０】
外部通信装置または集塵機においては、電気器具との制御接続を暫定的なカテゴリーの制御接続として成立させるために構成され、好ましくは、操作器具との少なくとも１つのワイヤレス制御接続を恒常的なカテゴリーで成立させるために構成されることが意図されるのが好都合である。ここでの基本思想は、電気器具がいわば暫定的にのみ外部通信装置でログオンされることにある。このとき、たとえば遠隔操作装置を用いての、恒常的な方式の制御のためのログオンも可能であると好ましい。このようにして、暫定的な方式でも恒常的な方式でもワイヤレス制御が可能である。
【００４１】
この関連では、外部通信装置または集塵機との間で、暫定的なカテゴリーのただ１つのワイヤレス制御接続だけが可能であると好ましい。
【００４２】
さらに、暫定的なカテゴリーでは、工作機械、たとえば手動工作機械、および／または工作機械のためのエネルギー蓄積器モジュールのカテゴリーに属する１つの装置だけが、集塵機を制御するために留保されると好ましい。このようにして、工作機械またはそのためのエネルギー蓄積器モジュールとして構成されているのでない遠隔操作装置が、外部通信装置で暫定的にログオンすることができない。
【００４３】
外部通信装置または集塵機においては、暫定的なカテゴリーのワイヤレス制御接続を成立させるためには外部通信装置での第１の操作行為が必要であり、恒常的なカテゴリーのワイヤレス制御接続は第１の操作行為とは異なる、特にさらに難しい第２の操作行為によって成立可能であり、および／または恒常的な設定によって、特に電気式のログオン操作部材を用いた設定によって、またはソフトウェアを用いて調整可能な設定によって成立し、または成立可能であることが意図されるのが好ましい。たとえば第１の操作行為は、隠されて配置されたログオン操作部材での操作行為であることが意図されていてよい。たとえばログオン操作部材がカバーの下、外部通信装置または集塵機のハウジングの内部などに隠されることによって、操作行為が難しくされ得る。さらに第１の操作行為は、第２の操作行為とは相違する、および／またはさらに長い操作部材の操作を必要とすることができる。たとえば、集塵機または外部通信装置が恒常的なカテゴリーの制御接続をログオンするためにまずエネルギー供給部に接続されなければならず、さらに、ログオン操作部材での操作が必要であることも考えられる。
【００４４】
第１および第２の操作行為が同一のログオン操作部材で行われるが、それぞれ相違していることも必要である。たとえば暫定的なカテゴリーの制御接続のログオンには、ログオン操作部材でキーを短く押すことが必要であり、それに対して恒常的な制御接続は、第１の操作行為に比べて長い事前設定された時間にわたって操作部材が操作され、押され、もしくは扱われた場合にのみ成立可能である。
【００４５】
操作行為は、たとえばＲＦＩＤ送信器などのワイヤレス式の識別記号送信器の検出を含むこともできる。
【００４６】
恒常的なカテゴリーの制御接続を成立させるために、たとえば恒常的な制御接続を成立させようとする器具の識別記号データを外部通信装置へ送信する追加の識別記号送信器が必要である。
【００４７】
外部通信装置または集塵機においては、事前設定された、または調整可能なタイムスパンの後に、および／または集塵機の動作中断時に、特に集塵機のスイッチオフ時に、および／または電気エネルギー供給部からの集塵機の分断時に、電気器具との間の特に暫定的な制御接続を終了させることが意図されるのが好都合である。そして外部通信装置ととともに電気器具を使用することは、少なくとも１つのログオンメッセージを用いてのあらためてログオンによってのみ再成立可能である。集塵機は、たとえば電源から分断されたり切換部材でスイッチオフされ得る。そうしたケースでは電気器具との暫定的な制御接続が、またはそもそも制御接続が、中断または終了される。当然ながら、たとえば少なくとも１つのログオンメッセージによって、その後に制御接続を再び成立させることができる。
【００４８】
１つの好ましいコンセプトは、外部通信装置が本発明に基づく少なくとも２つの電気器具からの距離をいわば測定し、外部通信装置または集塵機の近くに配置されているほうの電気器具を優先して制御接続の成立を許可することを意図する。たとえば本発明の１つの好ましい実施形態は、外部通信装置が、ワイヤレス通信インターフェースから送信される特に少なくとも１つのログオンメッセージを含んでいる信号の信号強度に依存して制御接続を成立させるために構成されることを意図し、外部通信装置は、信号強度が第１の信号閾値を上回っているときに、特にワイヤレス通信インターフェースと外部通信装置の間の１ｍ未満の距離を報知しているときに、このワイヤレス通信インターフェースのログオンメッセージを制御接続の即座の成立または優先的な成立のために優先し、および／または制御接続の成立に関して互いに競合する電気器具があるとき、高い信号強度を有するほうの電気器具を制御接続の成立のために優先する。たとえば外部通信装置ないし集塵機とワイヤレス通信インターフェースないし電気器具との間の１メートル未満の距離を報知する信号強度測定の場合には、即座のログオンが可能である。電気器具と集塵機の間のこれよりも大きいたとえば１メートルから最大１０メートルの距離では、ログオンメッセージの受信のために比較的長い待機時間が意図されるのが好ましい。
【００４９】
外部通信装置がログオンメッセージに対してその信号強度に依存して異なる迅速さで反応することも可能である。たとえば外部通信装置は、ログオンメッセージに対するたとえばログオン承認メッセージなどの応答を送信するための応答時間を、ワイヤレス通信インターフェースの信号の信号強度に依存して調整するのが好ましい。すなわち、外部通信装置は第１のログオンメッセージを第１の信号強度で受信したとき、たとえばログオン承認や別のデータを送信するようにとの要求などの応答をもって、第１の信号強度よりも低い第２の信号強度を有する第２のログオンメッセージの場合よりも迅速に反応する。したがって、たとえば吸引器具は強い信号を有するログオンの場合、弱い信号を有するログオンの場合よりも迅速に反応する。
【００５０】
電気器具と集塵機の間で構築されるべき制御接続を通信されるメッセージには、たとえばログオンメッセージまたは応答メッセージまたはこの両方には、信号強度が表示されていてよい。信号強度は、受信強度測定または送信強度測定のときにそれぞれ受信をする器具によって、すなわち集塵機または電気器具によって分析されるいわば基本尺度である。
【００５１】
電気器具との間で成立可能な制御接続は排他的な暫定的な制御接続でことが意図されるのが好都合であり、それにより、集塵機は暫定的な制御接続を介してのみ、および任意選択として集塵機の集塵機ハウジングにローカルに配置される少なくとも１つの操作部材を用いて、および／または集塵機とワイヤレス式に通信をする、工作機械またはそのエネルギー蓄積器モジュールとして構成されているのでない操作部材を用いて、制御可能である。この操作部材は、たとえば集塵機をスイッチオンまたはスイッチオフするための切換部材、回転数コントローラなどである。
【００５２】
集塵機は、ワイヤレス通信のために集塵機で恒常的にログオンされている少なくとも１つの操作器具を除いて、電気器具すなわち工作機械またはエネルギー蓄積器モジュールによってのみワイヤレス式に制御可能であるのが好ましい。
【００５３】
集塵機または外部通信装置においては、制御接続が断絶したとき、および／または事前設定された、もしくは設定可能なタイムスパン内に電気器具から制御コマンドを受け取らなかったときに、吸引動作を終了することが意図されるのが好ましい。このことは、たとえば電気器具が集塵機を必要としなくなっていることを示すサインとして理解される。設定可能なタイムスパンは、たとえば外部通信装置のハウジングまたは集塵機に配置される切換部材で調整することができる。あるいはソフトウェア、無線などを通じてのタイムスパンのパラメータ化も容易に可能である。
【００５４】
外部通信装置は、電気器具を特徴づける量に依存して外部通信装置の、特に集塵機のコンフィグレーションをするための、特に作業設定および／または吸引出力をコンフィグレーションするための少なくとも１つのコンフィグレーションメッセージを受信するために構成されるのが好都合である。作業設定は、制御接続を成立させるためのログオン手順との関連で直接的に調整可能であるのが好ましい。
【００５５】
外部通信装置および／または集塵機は、少なくとも２つの電気器具およびそのワイヤレス通信インターフェースとの制御接続を成立させるために、認証パラメータまたはログオンパラメータおよび／または暗号化パラメータを、特に認証パラメータまたはログオンパラメータに割り当てられた暗号化パラメータを保存するための記憶装置を有するのが好都合である。このようにして外部通信装置または集塵機は、認証パラメータまたはログオンパラメータを、および好都合にはさらに特に認証パラメータまたはログオンパラメータに割り当てられている暗号化パラメータを、すでに留保しておくことができる。すなわち電気器具が外部通信装置でログオンされるとき、この外部通信装置は保存されている認証パラメータまたはログオンパラメータを参照して、その電気器具が制御接続を成立させる資格を有しており、または認証されていることをすでに知っている。たとえばすでに上で述べた暗号化のための暗号化パラメータが、集塵機または外部通信装置に存在または保存されていれば、暗号化も非常に迅速に再び成立可能である。
【００５６】
ここで付言しておくと、当然ながら電気器具、工作機械、および／またはエネルギー蓄積器モジュールも、および特にワイヤレス通信インターフェースも、少なくとも２つの互いに異なる外部通信装置または集塵機でログオンするために、複数のログオンパラメータ、たとえばキー、識別番号表示、および／または暗号化パラメータ、たとえば暗号化キーを保存するための記憶装置を有することができる。
【００５７】
それぞれの記憶装置は、外部通信装置または集塵機が動作中断されたときや電流供給が中断されたときにも消去されない非消去メモリであるのが好ましい。あるいは、記憶装置が揮発性メモリであることも可能である。
【００５８】
外部通信装置の記憶装置またはそれ以外の記憶装置に少なくとも１つの別の情報も、たとえば工作機械および／またはエネルギー蓄積器モジュールの形態の電気器具の出力データなども、保存されるのが好都合である。あるいは電気器具の記憶装置にまたは前述の記憶装置にも、たとえば集塵機などの出力データのストレージが保存ないし格納されるのが好ましい。
【００５９】
１つの好ましいコンセプトは、外部通信装置および／または集塵機において、少なくとも１つの制御接続に追加して、少なくとも１つの遠隔操作装置によって制御可能であることを意図する。遠隔操作装置は、たとえば集塵機ハウジングとは別個のハウジングの中に離れて配置される。あるいは遠隔操作装置は、集塵機の吸引ホースに配置されていてもよい。いずれの場合にも、集塵機とは別個の移動型の遠隔操作装置が好ましい。遠隔操作装置の通信パラメータまたはログオンパラメータは、外部通信装置で恒常的に保存されているのが好ましい。遠隔操作装置は、上記の説明に基づく恒常的なカテゴリーに属するのが好都合である。遠隔操作装置の１つの実施形態は、手動工作機械、工作機械、またはエネルギー蓄積器モジュールに追加モジュールとして配置され、または配置可能であることを意図することができる。すなわち操作者は、集塵機を制御するために遠隔操作装置を即座に利用することができる。
【００６０】
外部通信装置および／または集塵機は、集塵機を制御するために、特にスイッチオンおよび／またはスイッチオフするために、電気器具とは異なる制御操作部材により生成される少なくとも１つの制御コマンドを制御接続に対して優先するために構成されるのが好ましく、この制御コマンドが優先制御コマンドを形成する。すなわち、外部通信装置または集塵機は制御操作部材によって優先的に制御可能である。この制御操作部材は、たとえば差込コンセントを通る通電を検出するために構成される差込コンセントであり得る。差込コンセントにたとえば他の工作機械などの電力消費部が接続されると、それが差込コンセントで検出される。たとえば差込コンセントの表面または内部に、通電を検出するいわゆるシャントまたはその他の測定部材が配置される。すなわち集塵機の差込コンセントにローカルに接続される器具、たとえば研削器具、鋸などは、集塵機の優先的なスイッチオンまたはスイッチオフをもたらす。あるいは制御操作部材は、集塵機ハウジングに配置されるスイッチでもあり得る。このスイッチによって集塵機をスイッチオンおよびスイッチオフすることができ、特に暫定的に集塵機と接続されている本発明に基づく電気器具から制御接続を通じてどのようなコマンドが来るかには左右されない。
【００６１】
１つの好ましい実施形態は、すでに述べた遠隔操作装置が、すなわち集塵機に付属する、または集塵機の構成要素を形成する遠隔操作装置が、特に本発明に基づく制御接続を介して制御をする電気器具の制御コマンドに対して、集塵機ないし外部通信装置によって処理される、または取り扱われる制御コマンドに優先権を与えることができることを意図する。
【００６２】
エネルギー蓄積器モジュールは、モジュールハウジングと、モジュールハウジングの中に収容されたエネルギー蓄積器、特に、再充電可能な少なくとも１つの電気式の蓄積器セルおよび工作機械または集塵機へのエネルギー供給のための電気エネルギーを提供するために意図される供給接点を備える構造とを有することが意図されるのが好ましい。電気式の蓄積器セルは、特に複数の電気式の蓄積器セルのユニットまたは構造は、たとえば充電器具によって充電可能である。あるいは、エネルギー蓄積器がたとえば燃料電池などの他の電気式の蓄積器を有し、または電気エネルギーを最後に提供することができる化学式の蓄積器を有することも可能である。
【００６３】
エネルギー蓄積器モジュールは、工作機械と取外し可能に結合するための器具インターフェースを備えるモジュールハウジングを有するのが好都合である。工作機械または集塵機に対するエネルギー蓄積器モジュールの器具インターフェースは、電気エネルギーを伝送するための互いに適合する供給接点および／またはデータを伝送するためのデータ接点、特にバス接点を有する。
【００６４】
工作機械はダストおよび／または粒子を生成する工作機械、特にドリル加工機械、フライス加工機械、研削機械などである。特に、工作機械は手動工作機械である。工作機械は、吸引ホースを接続するための吸引吐出部、たとえば接続管を有するのが好都合である。
【００６５】
集塵機は一般に吸引器具と呼ぶこともできる。集塵機自体は当然ながらダストだけでなく、工作機械が生成するこれよりも大きい粒子も吸引することができる。
【００６６】
集塵機と工作機械が前述の吸引ホースまたは別の吸引ホースを用いて相互に流動接続されているときにのみ制御接続を成立可能であり、または成立すると好ましい。
【００６７】
工作機械および／または集塵機には、吸引ホースの接続を認識するセンサまたは認識手段が設けられていてよい。実際に吸引ホースが接続されているときにのみ、制御接続が成立する。
【００６８】
次に、図面を参照しながら本発明の実施例について説明する。図面は次のものを示す：
【図面の簡単な説明】
【００６９】
【図１】手動工作機械と集塵機とを含む本発明によるシステムを示す斜視外観図である。
【図２】図１の集塵機の詳細部Ｄ１にほぼ準ずる部分図である。
【図３】図１の集塵機の通信モジュールを示す斜視外観図である。
【図４】図１の工作機械の器具インターフェースである。
【図５】図１のシステムのエネルギー蓄積器モジュールを示す斜視外観図である。
【図６】図５のエネルギー蓄積器モジュールを別の側から示す斜視図である。
【図７】図５、６のエネルギー蓄積器モジュールを充電するための充電器具である。
【図８】図１のシステムの通信モジュールを示す斜視外観図である。
【図９】図８の通信モジュールであるが、模式的に図示する吸引ホースに取り付けるための取付装置を有している。
【図１０】図９、１０の通信モジュールを示す模式的な機能図である。
【図１１】エネルギー蓄積器モジュールならびに手動工作機械と図１の通信モジュールとを示す模式的な回路図である。
【図１２】図７の充電器具と協同作用する図４のエネルギー蓄積器モジュールを示す模式的な回路図である。
【図１３】図１の別のエネルギー蓄積器モジュールを図７の充電器具に装着された状態で示す斜視図である。
【図１４】図１の集塵機とエネルギー蓄積器モジュールとの間の通信ダイアグラムである。
【図１５】トランスポートボックスの中に配置されてエネルギー蓄積器により作動可能な集塵機を有する、模式的に示すシステムである。
【図１６】信号強度情報と応答時間の間の関係を示すグラフである。
【発明を実施するための形態】
【００７０】
同一または同一種類のコンポーネントには、以下において、部分的に同一の符号またはＡ，Ｂ等の付加によって明示された類似の符号が付されている。
【００７１】
図１に部分的に模式的に示すシステム１０は、エネルギー蓄積器モジュール４０Ａ，４０Ｂから電気エネルギーの供給を受ける工作機械２０Ａ，２０Ｂを含んでいる。工作機械２０Ａ，２０Ｂはダストまたは粒子を生成する工作機械であり、特に手動工作機械である。工作機械２０Ｂはたとえば研削器具であり、工作機械２０Ａは鋸、特に回し引き鋸であり、ダストを生成する、または粒子を生成するルータなどのこれ以外の電動工作機械または手動工作機械も容易に可能である。
【００７２】
工作機械２０Ａ，２０Ｂの機械ハウジング２１Ａ，２１Ｂの中には工具受容部２３Ａ，２３Ｂが配置され、およびこれに伴って、工具収容部２３Ａ，２３Ｂに配置された工具３８Ａ，３８Ｂを駆動するために意図される駆動モータ２２が配置されている。工具３８Ａはたとえば鋸工具であり、工具３８Ｂはたとえば研削パッドである。駆動モータ２２は工具２３８Ａ，３８Ｂを直接的に、または伝動装置を介して、たとえば振動運動のための伝動装置２２Ａを介して駆動することができる。
【００７３】
工作機械２０Ａ，２０Ｂは切換部材２４を用いて、たとえば接続器／遮断器を用いて、スイッチオンおよびスイッチオフすることができる。さらに別の切換部材２５は、たとえば回転数コントローラまたは回転数調節器として構成される。たとえば切換部材２４の相応の操作ストロークによって駆動モータ２２の回転数を変更可能である実施形態が可能である。
【００７４】
手動工作機械２０Ａ，２０Ｂは、駆動モータ２２を制御するための制御装置２６を有している。制御装置２５は、たとえばプロセッサ２７と記憶装置２８とを含んでいる。記憶装置２７には１つのプログラムモジュールまたは複数のプログラムモジュール２９が保存され、そのプログラムコードをプロセッサ２７により実行可能であり、それにより手動工作機械２０Ａ，２０Ｂを制御し、および／またはエネルギー蓄積器モジュール４０Ａ，４０Ｂと通信する。
【００７５】
手動工作機械２０Ａ，２０Ｂは、吸引ホース１５を接続するための吸出し接続部または吸引吐出部３９を有しており、該吸引ホースを通じて、工具３８Ａ，３８Ｂの作動時に発生するダストを吸い出すことができる。吸引吐出部３９は、たとえば接続管は、工具３８Ｂの表面または内部に配置された、図面には見えていない吸出し開口部と連通する。このように、それ自体公知である通常の仕方によりダストを工具３８Ａ，３８Ｂから出るように直接吸い出すことができる。
【００７６】
システム１０の集塵機７０は、たとえばローラ７１Ａ，７１Ｂの上で地面に設置可能および／または転動可能である吸引器ハウジング７１を有している。吸引器具７０は移動式の吸引器具である。あるいは集塵機７０は積み重ね可能な集塵機の形態を有することもでき、すなわち積層ハウジングを有し、および／または箱型の形態を有することもできる。ローラ７１Ａ，７１Ｂは任意選択である。
【００７７】
集塵機７０は集塵機ハウジング７１の前面に吸引取込部７２を有していて、これに吸引ホース１５を接続可能である。吸引ホース１５は、吸引吐出部３９Ａに接続される一方の長手方向端部１６をもって、および吸引取込部７２に接続される他方の長手方向端部１７をもって、工作機械２０Ａと集塵機７０の間に延びている。工作機械２０Ｂは吸引ホース１５の分岐部１８を介して集塵機７０に接続されている。分岐部１８は、長手方向端部１６と、工作機械２０Ｂの吸引吐出部３９Ａに接続された長手方向端部１９とに向かって分岐する。当然ながら、吸引ホース１５の分岐部１８は任意選択である。それ自体公知の仕方により、吸引吐出部３９と吸引取込部７２の間に分岐部を有することなく直接延びる吸引ホースが設けられていてもよい。
【００７８】
吸引器ハウジング７１の中に汚物収集室７３が設けられていて、この中に、ホース吐出部７２を介して吸い込まれる吸引流Ｓから分別されたダストおよびその他の粒子を収容することができる。汚物収集室７３の上方にフィルタ７４が設けられるのが好ましい。あるいは汚物収集室７３の中に、フィルタ７４の追加または代替として、汚物や粒子を収集するのに適したフィルタ袋が配置されていてもよい。吸引取込部７２を通して吸い込まれる吸引流Ｓは、吸引ユニット７５によって生成可能である。吸引ユニット７５は、たとえば電源接続装置７６を用いて電流の供給を受ける。電源接続装置７６は、特に２２０Ｖまたは１１０Ｖの交流電流を有する電力供給網ＥＶへ接続するために、たとえば接続ケーブルと接続プラグとを含んでいる。
【００７９】
集塵機７０の機能は操作部材構造７７によって制御可能である。操作部材構造はたとえば切換部材７８を含んでいて、これにより集塵機をスイッチオンまたはスイッチオフすることができ、あるいは、たとえば差込コンセント７９を介して通る電流が吸引ユニット７５のスイッチオンおよびスイッチオフをもたらす自動運転に切り換えることができる。差込コンセント７９は操作部材構造７７に設けられるのが好都合である。差込コンセント７９に電力消費部を、好ましくは電気式の手動工作機械２０Ｃを接続することができる。
【００８０】
差込コンセント７９は接点８０、特にブッシュを有していて、これに手動工作機械２０Ｃのプラグ３１Ｃの接点３２Ｃを差込可能である。プラグ３１Ｃは、電源接続装置３０Ｃの構成要素である接続ケーブルに配置されている。手動工作機械２０Ｃの切換部材２４が、たとえば鋸刃を駆動可能であるその駆動モータに通電をするために操作者によって操作されると、電源接続装置３０Ｃを通して、差込コンセント７９を介して集塵機７０から提供される電流が流れる。この電流を電流センサ８１によって、それ自体公知の仕方により検出可能である。集塵機７０の制御装置８６が、差込コンセント７９を介して通電がなされたとき、それ自体公知の仕方により吸引ユニット７５をスイッチオンするとともに、手動工作機械２０Ｃの動作が終了すると、すなわち電流センサ８１が電流を検出しなくなると、吸引ユニット２５を好都合には遅延時間をもってスイッチオフする。
【００８１】
電流センサ８２は、たとえば制御装置８０の入力／出力インターフェース８２に接続されている。さらに、たとえばパワーエレクトロニクスインターフェースなどの入力／出力インターフェース８２は、吸引ユニット７５を制御するための役目を果たす。
【００８２】
さらに制御装置８６はプロセッサ８７と、１つまたは複数のプログラムモジュール８９が格納された記憶装置８８とを有している。少なくとも１つのプログラムモジュール８９は、プロセッサ８７により実行可能な、特に下記の機能のうち１つまたは複数の機能を可能にするプログラムコードを有している。
【００８３】
差込コンセント７９は集塵機７０を介して供給電源ＥＶに接続可能であり、あるいは供給電源ＥＶに直接的に、すなわち電源接続装置３０Ｃを用いて接続可能である。
【００８４】
それに対して工作機械２０Ａ，２０Ｂは、リードレス式またはワイヤレス式の動作のために構成されている。すなわち、これらにはエネルギー蓄積器モジュール４０Ａ，４０Ｂを用いて電流を供給可能である。
【００８５】
それぞれのエネルギー蓄積器モジュール４０Ａ，４０Ｂは機能的に類似した構造となっているが、機械的な相違および／または電流供給容量、電圧などの電気的な相違は容易に存在し得る。
【００８６】
エネルギー蓄積器モジュール４０Ａ，４０Ｂは、エネルギー蓄積器４２が中に配置されたモジュールハウジング４１Ａ，４１Ｂを有している。エネルギー蓄積器４２は１つまたは複数の蓄積器セル４３を有し、特に、再充電可能である複数の蓄積器セル４３を含む蓄積器セル構造を有している。
【００８７】
エネルギー蓄積器モジュール４０Ａに任意選択として存在する表示装置４４を用いて、エネルギー蓄積器４２の充電状態をたとえば音響式および／または光学式に出力することができる。表示装置４４は、たとえば低い充電状態をたとえば警告音によって報知することができるスピーカ４４Ａを含んでいる。表示装置４４では、１つまたは複数のランプ４５、たとえばランプ４５Ａ，４５Ｂ，４５Ｃおよび４５Ｄの配置が好ましい。ランプ４５Ａ−４５ＤはＬＥＤであるのが好ましい。
【００８８】
エネルギー蓄積器モジュール４０Ａ，４０Ｂの機能は制御装置４６によって制御可能である。
【００８９】
制御装置４６には、エネルギー蓄積器４２によって直接的に、および／または蓄積器セル４３のうちの１つまたは複数によって、電気エネルギーを供給可能であってよい。たとえばエネルギー蓄積器４２と制御装置４６の間に供給回線４２Ｘが設けられていてよい。さらに制御装置４６は、エネルギー蓄積器４２から提供される電圧ないしエネルギー蓄積器４２から提供される供給電流を適合化するための供給モジュール４６Ｘをさらに有することができる。このように、それぞれの制御装置４６へローカルに電気エネルギーを供給可能であり、エネルギー蓄積器モジュール４０が電気器具と、たとえば充電器具や工作機械もしくは集塵機と、接続されているか否かには左右されない。
【００９０】
制御装置４６はたとえばプロセッサ４７と、少なくとも１つのプログラムモジュール４９が格納された記憶装置４８とを有している。たとえば制御装置４６は、手動工作機械２０Ａ，２０Ｂの制御装置２６と通信をする。プロセッサ４７は、特に以下においてさらに詳細に説明する機能を具体化するために、プログラムモジュール４９のプログラムコードを実行することができる。
【００９１】
エネルギー蓄積器モジュール４０Ａ，４０Ｂは、工作機械２０Ａ，２０Ｂの器具インターフェース３０を用いて、ならびにエネルギー蓄積器モジュール４０Ａ，４０Ｂの器具インターフェース５０を用いて、工作機械２０Ａ，２０Ｂと相互に取外し可能に結合可能である。
【００９２】
工作機械２０Ａ，２０Ｂは第１のシステムコンポーネント１１を形成し、エネルギー蓄積器モジュール４０Ａ，４０Ｂは第２のシステムコンポーネント１２を形成し、これらをそれぞれ１つのシステムを形成するように、相互に固定的に結合可能である。
【００９３】
器具インターフェース３０，５０はこの目的のために、互いに形状接合式に適合する輪郭、たとえば回転ロックのために適した形状接合輪郭を含み、または本例のように、器具インターフェース３０の差込・対応・形状接合輪郭３１と形状接合式に、すなわち差込運動の枠内で係合させることが可能な差込・形状接合輪郭５１を器具インターフェース５０に含んでいる。
【００９４】
このような差込運動により、器具インターフェース３０の器具・供給接点３２が器具インターフェース５０の供給接点５２と接触し、それにより、エネルギー蓄積器４２から電気エネルギーを供給接点５２，３２を介してそれぞれの工作機械２０Ａ，２０Ｂのために、特にその駆動モータ２２のために提供することができる。
【００９５】
さらに、器具インターフェース３０，５０はデータインターフェース３４，３５のデータ接点３３，５３を含んでおり、それによりデータ通信も、本例では特にシステムコンポーネント１１，１２の間のバス通信も可能である。
【００９６】
差込・形状接合輪郭５１，３１を用いた形状接合コンセプトの追加としての保持のために固定装置５５が作用し、これによってシステムコンポーネント１１，１２を互いに固定可能である。固定装置５５は、固定輪郭３５と係合させることが可能な、たとえば係止部、ロック部材などの固定部材５６を含んでいる。固定輪郭３５と固定部材５６は第１のシステムコンポーネント１１と第２のシステムコンポーネント１２に配置されているが、これと逆のコンフィグレーションも容易に可能である。固定装置５５は、本例では、ロック装置および／または係止装置を形成する。固定部材５６は操作部材５７を用いて固定輪郭３５との係合を外すことができ、任意選択として係合させることもできる。たとえば固定部材５６は、固定収容部または凹部として構成される固定輪郭３５と係合させることが可能な固定突起／ロック突起である。固定装置５５がその固定位置またはロック位置に入っているとき、差込・形状接合輪郭５１が差込・対応・形状接合輪郭３１と係合されたまま保たれ、すなわち、差込・形状接合輪郭５１，３１の差込軸に沿ってのシステムコンポーネント１１，１２の相対運動が不可能になる。
【００９７】
操作部材５７および／または固定部材５６は、ばね構造（図示せず）によって固定位置ないしロック位置へとばね付勢される。このように、操作部材５７の簡単なボタン操作またはキー操作によって、固定装置５５を固定位置から解除位置へと位置調節することができる。エネルギー蓄積器モジュール４０Ａには、互いに反対を向く側にそれぞれ固定部材５６が設けられ、さらには操作部材５７もそれぞれ設けられるのが好ましく、それに対してエネルギー蓄積器モジュール４０Ｂでは、単一の押圧キーまたは単一の操作部材５７しか必要ない。
【００９８】
エネルギー蓄積器モジュール４０Ａ，４０Ｂは、充電器具２２０を用いて充電することができる。充電器具２２０は充電器具ハウジング２２１を有していて、これに器具インターフェース２３０が設けられている。器具インターフェース２３０は、エネルギー蓄積器モジュール４０Ａ，４０Ｂの差込・形状接合輪郭５１と形状接合的に適合する差込・対応・形状接合輪郭２３１を有している。ロックは定置での動作については必要ない。充電器具２２０は器具インターフェース５０に適合するように、器具・供給接点２３２ならびにデータインターフェース２３４の、好ましくはバスインターフェースの、データ接点２３３をさらに有している。充電器具２２０には変圧器２３５が配置されるのが好ましく、これが電源接続装置２３６を用いて電流の供給を受けることが可能であり、エネルギー蓄積器４２を充電するための直流電圧を器具・供給接点２３２に提供する。接続プラグ２３７は電源接続装置２３６の構成要素を形成し、充電器具ハウジング２２１に直接的に配置されていてよく、または、模式的に図示している回線を介して充電器具ハウジング２２１と接続されていてよい。接続プラグ２３７は供給電源ＥＶに接続可能である。
【００９９】
データインターフェース３４，５４ならびに２３４は、本例ではバスインターフェースである。たとえば、バスインターフェースまたはデータインターフェース３４，５４，２３４はＩ２Ｃバスインターフェースである。バスインターフェースは、クロック回線ＣＬ、データ回線Ｄ、ならびにデータ接点３３Ａ，５３Ａ，および２３４Ａが付属する供給回線ＶＤ、データ接点３３Ｂ，５３Ｂ，２３３Ｂが付属するクロック回線ＣＬ、ならびにデータ接点３３Ｃ，５３Ｃ，２３４Ｃが付属するデータ回線Ｄを含んでいる。供給回線ＶＤは、器具インターフェース３０または２３０が器具インターフェース５０に電気供給電圧を、たとえばバス電圧ＵＢを提供するための役目を果たす。クロック回線ＣＬを通じて、データインターフェース３４，５４，２３４で具体化されるバスＢＵのバスクロックが提供される。データ回線Ｄを通じて、好ましくは双方向にエネルギー蓄積器モジュール４０から工作機械２０へ、およびその逆へ、および／またはエネルギー蓄積器モジュール４０から充電器具２２０へ、およびその逆へ、データが伝送される。
【０１００】
システムコンポーネント１１，１２が互いに結合されているとき、エネルギー蓄積器モジュール４０は、駆動モータ２２を作動させるのに適した供給電圧ＵＶを供給接点５２Ａ，５２Ｂに提供する。供給電圧ＵＶはたとえば１５ボルトまたは１８ボルトの直流電圧であり、あるいは常時これ以外の電圧であってよい。ここで付言しておくと、エネルギー蓄積器モジュールは当然ながら交流電圧を提供することもできる。その点は重要ではない。以下において簡略に工作機械２０と呼ぶ工作機械２０Ａ，２０Ｂの制御装置２６は、切換部材２４の操作に依存して駆動モータ２２を制御し、たとえばスイッチ２４Ａを開閉する。スイッチ２４Ａに代えて、たとえば電子整流式の駆動モータ２２のための通電装置などのパワーエレクトロニクスが設けられていてもよい。さらに、切換部材２４が駆動モータ２２の電気回路に直接的につながれ、そのようにして、これをスイッチオンおよびスイッチオフすることができることが考えられる。スイッチ２４Ａが閉じられると、エネルギー蓄積器４２から電流が回線Ｌ１を通して駆動モータ２２へと流れ、そこから再び回線Ｌ２を通してエネルギー蓄積器４２へと戻るように流れる。
【０１０１】
充電プロセスのときにはこの電流コンセプトがちょうど逆になり、このことは図１２を参照すると明らかになる。このケースでは充電電流ＩＬが変圧器２３５から回線Ｌ１を通してエネルギー蓄積器４２へと流れる。供給接点２３２Ｂは、回線Ｌ２の供給接点５２と同様に、たとえば測定回線に割り当てられる。充電プロセスは、充電器具２２０の制御装置２２６によって制御されるのが好ましい。制御装置２２６は、充電プロセスを開始または終了させるために、たとえばスイッチ２３８を制御することができる。充電プロセスを監視するために充電器具２２０はエネルギー蓄積器モジュール４０と通信し、すなわち、データインターフェース２３４およびこれに付属する供給回線ＶＤのためのデータ接点２３３Ａ，２３３Ｂおよび２３３Ｃと、クロック回線ＣＬと、データ回線Ｄとを介して通信する。充電器具２２０とエネルギー蓄積器モジュール４０の間のバスＢＵでの相応の通信によって、たとえばエネルギー蓄積器４２の充電状態、その公称電圧などを照会することができる。充電プロセスを制御および監視するために、たとえば充電器具２３４は、充電プロセスを制御するためのプログラムモジュール２２９の制御コマンドまたはプログラムコードを実行することができるプロセッサ２７を有している。プロセッサ２２７は、プログラムモジュール２２９が格納された、充電器具２２０の制御装置２２６の記憶装置２２８と接続されている。
【０１０２】
集塵機７０はワイヤレス式またはリードレス式に制御可能である。そのために集塵機７０は一体型の、または好ましくはモジュールとして構成される外部通信装置１００を有している。外部通信装置１００は、集塵機ハウジング７１のモジュール収容部９０に取外し可能に配置可能である。モジュール収容部９０はたとえば操作部材構造７７の領域に配置され、特に、操作部材構造７７が設けられた前壁９５に配置される。外部通信装置１００の形態の通信モジュールがモジュール収容部９０に差し込まれると、モジュール収容部９０と通信装置１００の接点構造９０，１０１のそれぞれの接点が互いに接触する。このようにしてデータ、情報、電気的な供給電圧などを伝送することができる。たとえば制御装置８６は接点構造を介して、外部通信装置１００に電気的な供給電圧を供給する。
【０１０３】
さらに、制御装置８６のデータインターフェース８３と外部通信装置１００のデータインターフェース１０８が、接点構造１０１および９１を用いて互いに接触する。データインターフェース８３，１０８はたとえばバスインターフェースを含んでいて、これを通じて外部通信装置１００と制御装置８６がデータや情報を通信することができる。
【０１０４】
データインターフェース１０８，８３はたとえばバス接続を、特にＩ２Ｃバス接続を具体化する。これ以外のバス通信も可能である。さらにデータインターフェース８３，１０８は、たとえばパラレルデータ伝送のための個々のデータ接点も含むことができる。
【０１０５】
モジュール収容部９０は、モジュール収容部９０の底面９３から前壁５０へと延びる側壁９２を含んでいる。モジュール収容部９０の中で、すなわち側壁９２と底面９３の間の内部空間の中で、外部通信装置１００の前壁１０５の裏面１０３から屹立する接触構造１０１を、モジュール収容部９０の底面９３に配置された接触構造９１に係合させることができ、またはこれと接触させることができる。すると前壁１０５の側壁面１０１が側壁９２と一直線上に並び、それにより、外部通信装置１００の前面または前壁１０５が、図１に示すように前壁９５と一直線上に並ぶ。モジュール収容部９０に外部通信装置１００のモジュールが差込接続されるだけで、それがすでに確実な保持のために作用する。さらなる固定をするために、たとえば図面には示さない係止装置、クランプ装置などの固定装置が設けられるのが好ましい。本例ではねじ止めが意図される。たとえばモジュール収容部９０に１つまたは２つのねじ収容部９４が設けられ、このねじ収容部が、外部通信装置がモジュール収容部９０へ収容されたときに、外部通信装置１００のねじ収容部１０４と一直線上に並ぶ。ねじ収容部１０４，９４の中に、図１に示唆しているねじをねじ込むことができる。
【０１０６】
集塵機７０は、外部通信装置１００を用いてワイヤレス式および／またはリードレス式に、たとえばエネルギー蓄積器モジュール４０Ａまたは４０Ｂのワイヤレス通信インターフェース６０によって制御することができる。
【０１０７】
ここで付言しておくと、ワイヤレス通信インターフェース６０は、システムコンポーネント１１および１２すなわちそれぞれのエネルギー蓄積器モジュールおよび工作機械を含むシステムのワイヤレス式の制御についての例示として理解されるべきものである。たとえば工作機械２０Ｃは、以下においてさらに説明する通信機能のうちの１つまたは複数を直接的に遂行するために、すなわち、ワイヤレス通信インターフェースを通じて集塵機７０とワイヤレス式に通信するそれぞれのエネルギー蓄積器モジュール４０なしに遂行するために、ワイヤレス通信インターフェース６０Ｃを装備していてよい。
【０１０８】
外部通信装置１００はログオン操作部材１６０を用いて、外部通信装置１００との制御接続を新たに成立可能でない、また回復可能でない制御接続作業モードから、動作準備完了モードへと切り換えることができる。
【０１０９】
動作準備完了モードまたは作業モードは、外部通信装置１００によって光学式および／または音響式に報知される。たとえば、外部通信装置１００のさまざまな動作モードを報知することができる表示装置１１４が設けられる。表示装置１１４はたとえばランプ表示器、特に環状のランプ表示器を含む。表示装置１１４はたとえばログオン操作部材１０６の周りまたはそばに配置される。ログオン操作部材１０６はたとえばキー１０７であり、その周りに表示装置１１４が延びているのが好ましい。
【０１１０】
表示装置１１４は、恒常的に点灯しているときには、確立された制御接続すなわちステータス「接続」を報知する。外部通信装置１００がログオン操作部材１０６を用いて作業モードから動作準備完了モードへ切り換えられると、表示装置１１４がたとえば別の色で、または別の運動パターンで、特にゆっくりと円を描く運動パターンで点灯する。このような表示装置１１４の運動パターンまたは色は、制御接続の種類に依存していてよい。制御接続が、あとでまた説明するように、現在成立されるべき制御接続および／またはすでに成立している一時的な制御接続であるとき、たとえば表示装置１１４はゆっくりと円を描く点灯表示を有することができる。一方、制御接続が恒常的に確立または成立されるべきとき、すなわち、動作準備完了モードが恒常的な制御接続を成立させるのに適しているとき、表示装置１１４はこれとは別様に点灯する。たとえばその場合、表示装置１１４の円形の点灯がさらに高い頻度で行われる。
【０１１１】
恒常的な制御接続のために、たとえば外部通信装置１００と接続された集塵機７０のシステム構成要素を形成する通信モジュール３００が設けられる。
【０１１２】
通信モジュール３００は集塵機ハウジング７１の外部に配置される、または配置可能である通信モジュールである。通信モジュール１００は、システムコンポーネント１１および／または１２のうちの１つの形態の電気器具と集塵機７０との、特に外部通信装置１０との制御接続を維持および／または成立させる役目を果たす。
【０１１３】
通信モジュール３００は、吸引ホース１５に配置可能であるモジュールハウジング３０１を有している。モジュールハウジング３０１はその上面３０２に、吸引ユニット７５をスイッチオン可能および／またはスイッチオフ可能である切換部材３３４を有するのが好都合である。切換部材３３４は人間工学的に好適なように上面３０２の大部分を占めており、それにより容易に取扱可能ないし操作可能である。切換部材３３４はたとえば押しボタン、ロッカースイッチなどである。
【０１１４】
モジュールハウジング３０１は、吸引ホース１５に合わせて適合化された形態を有している。たとえば、通信モジュール３００が吸引ホース１５に組み付けられた状態のときにその外側円周に位置することになる下側側壁３０６は、吸引ホース１５の丸い外側円周に合わせて適合化されて丸められた輪郭を有する。下側側壁３０６と上面または上側側壁３０２との間には、前面壁３０３、裏面壁３０４、ならびに長辺壁３０５が延びている。これらが内部空間を区切り、その中に通信モジュール３００の制御装置３３６が防護されて配置される。
【０１１５】
制御装置３３６は、たとえばプロセッサ３３７と記憶装置３３８を有し、ならびに、あとでまた説明する通信モジュール３００の機能を実行するためにプロセッサ３３７により実行することができるプログラムコードを含む少なくとも１つのプログラムモジュール３３９を有している。
【０１１６】
通信モジュール３００を吸引ホース１５へ組み付けるために、フック３０１が長辺壁３０５に設けられている。すなわちモジュールハウジング３０１は互いに反対を向く側に、それぞれ１つのフック３０７を有している。各々のフック３０７がフック突起３０８とフック凹部３０９とを有している。フック３０７は、たとえばクランプ留め具３２１などのホース保持部３２０（図８）を取り付けるための役目を果たす。ホース保持部３２０はその長辺領域３２２に、フック３０７と係合させることができるフック収容部３２３をそれぞれ有している。当然ながら、たとえば面ファスナーテープなどを用いた、これ以外の取付テクノロジーも可能である。吸引ホース１５の長辺１６および／または１７への通信モジュール３００の統合も考えられていてもよく、それは、たとえばそこに相応の管体、たとえばゴム、プラスチックなどからなる接続片や接続管が設けられている場合である。あるいは通信モジュール３００が吸引ホース１５に接着され、溶接され、またはその他の仕方で吸引ホース１５と結合されていてもよい。ただしこのことは、通信モジュール３００の通信機能にとって大きな役割を演じるものではない。とはいえ、人間工学的に好都合な吸引ホース１５への配置が好ましい。
【０１１７】
外部通信装置１００を作業モードから動作準備完了モードへと切り換えるために、ログオン操作部材３１６が設けられている。ログオン操作部材３１６は、たとえばキー３１７を含んでいる。ログオン操作部材３１６の機能はログオン操作部材１０６の機能に準ずるので、操作者はいわば同一の操作コンセプトを見出す。
【０１１８】
それに応じて表示装置３１４も、表示装置１１４と同一または類似に構成されている。たとえば表示装置３１４は、通信モジュール３００と外部通信装置１００との間の制御接続の成立および／または存在と関連する情報を報知するランプ表示器を含んでいる。
【０１１９】
操作者がたとえばログオン操作部材３１６を操作すると、特にキー３１７を押すと、特にブルートゥースインターフェース、ＷＬＡＮインターフェースなどの通信インターフェース３１１が通信インターフェース１１０に相応の制御信号を送信し、特に、動作準備完了モードへの切換をするための切換メッセージＳＮを送信する。それにより、外部通信装置１１０が動作準備完了モードへと切り換えられ、そのことを表示装置３１４が報知する。つまりログオン操作部材３１６の操作は、外部通信装置１００が作業モードから動作準備完了モードへと切り換わることをもたらす。制御信号を送信するために、通信モジュール３００と外部通信インターフェース１１０との間で暗号化および／または認証された接続が意図されるのが好ましい。
【０１２０】
切換部材３３４が操作されると、通信モジュール３００が吸引ユニット７５に対するスタートコマンドまたはスイッチオンコマンドを外部通信装置１００に送信し、それに伴って集塵機７０の制御装置８６に送信する。たとえば回転部材、スライド部材などの切換部材３３５を用いて、通信モジュール３００は外部通信装置１００へ、およびこれに伴って集塵機７０へ制御コマンドを送信することができ、これによってたとえば吸引ユニット７５の回転数および／またはその出力を調整可能である。したがって通信モジュール３００は、吸引ユニット７５に対する遠隔制御部としての役目を果たすことができる。遠隔制御機能についても、通信モジュール３００と外部通信装置１００との間の保全的な、および／または暗号化された制御接続が好ましい。
【０１２１】
通信モジュール３００は集塵機７０のシステムコンポーネントを形成するので、通信モジュール３００から外部通信装置１００への制御接続はいわば恒常的な制御接続である。このような種類の制御接続はその成立のために、システムコンポーネント１１または１２と集塵機７０との間の制御接続よりも高い難度を要請する。それに応じて、通信モジュール３００を集塵機７０ないし外部通信装置１００で認証またはログオンするために、たとえばログオン操作部材１０６および／または３１６が長く操作される。それに比べて、システムコンポーネント１１または１２のうちの１つと、たとえばエネルギー蓄積器モジュール４０と、外部通信装置１００との間の制御接続を成立させるためのログオン手順は、たとえばログオン操作部材１０６および／または３１６の短い操作を用いて容易に成立させることができる。
【０１２２】
工作機械２０Ａ，２０Ｂはエネルギー蓄積器モジュール４０Ａ，４０Ｂを用いて集塵機７０と通信し、これを制御接続Ｓ１およびＳ２を介して制御することができる。ただし制御コマンドは制御接続Ｓ１，Ｓ２を介して直接にではなく、外部通信装置１００での工作機械２０Ａ，２０Ｂの事前のログオン／認証の後で初めて送信することができる。すなわち、それぞれの制御接続Ｓ１，Ｓ２がまず最初に成立しなければならず、その後で、互いに離れているコンポーネント２０Ａ，７０ないし２０Ｂ，７０の間での制御コマンドおよび／またはメッセージ信号の伝送のために利用することができる。
【０１２３】
このときコンフィグレーションは、工作機械２０Ａ，２０Ｂが集塵機７０と直接ワイヤレス式に通信するのでなく、これらに付属する、これらに取り付けられたエネルギー蓄積器モジュール４０Ａ，４０Ｂを用いて通信するように行われる。ただし、ワイヤレス通信インターフェース６０との関連で以下に説明する通信を工作機械２０Ｂでも具体化可能であることも十分に可能であり、すなわち、たとえば制御接続Ｓ２に類似して直接的に（図示せず）、またはあとで明らかとなる通信モジュール３００Ｂおよび３００Ｃを介して間接的に具体化される。
【０１２４】
原則としてエネルギー蓄積器モジュール４０Ａ，４０Ｂは、ワイヤレス通信のために工作機械２０Ａ，２０Ｂにとってのいわばゲートウェイを特に制御方向で、すなわち工作機械２０Ａ，２０Ｂから集塵機７０に向かって形成する。あるいは、これと逆に集塵機７０から工作機械２０Ａ，２０Ｂに向かう通信方向も「ゲートウェイ」４０Ａ，４０Ｂを介して可能である。
【０１２５】
このような機能を特別に簡単に具体化可能にするために、エネルギー蓄積器モジュール２０Ａ，２０Ｂはインテリジェンスを有しており、それにより、たとえば集塵機７０とのワイヤレス通信を必要とする、もしくはそれを具体化する器具と接続されているのか、それともそれ以外の器具と、たとえば集塵機動作に適していないたとえばねじ締め器具、接着機械などの工作機械と接続されているのかを認識できるようになっている。特にエネルギー蓄積器モジュール４０Ａ，４０Ｂは、充電器具２２０と接続されているのか否かを検知することができる。
【０１２６】
すなわち充電器具２２０は、たとえばバスインターフェースＢＵを通じて照会メッセージ７００を制御装置４６に送信し、これによってエネルギー蓄積器４２の現在の充電状態、蓄積器セル４３の状態および／または最大の充電電圧、最大の充電電流などを照会する。制御装置４６は、相応の情報が保存されている応答メッセージ７０１をもって応答する。照会メッセージ７００の品質を参照して、すなわち、たとえば最大限許容される充電電流の大きさが照会されたという事実を参照して、エネルギー蓄積器モジュール４０が充電器具に接続されており、集塵機とのワイヤレス通信接続を必要とする工作機械２０Ａまたは２０Ｂのような種類の電力消費部が接続されているのではないことを認識する。
【０１２７】
あるいはこれ以外の情報も、充電器具２２０のような種類の充電器具への接続を認識するために、エネルギー蓄積器モジュール４０によって利用することができる。たとえば充電器具２２０から提供される充電電圧ＵＬは、電力消費部が接続されたときに回線Ｌ１とＬ２または供給接点５２Ａ，５２Ｂの間で印加される供給電圧ＵＶよりも高い。
【０１２８】
制御装置４６は、バスインターフェースまたはデータインターフェース５４を通じて電気エネルギーの供給を受ける。充電器具２２０から提供される、供給回線ＶＤまたはデータ接点５３Ａで印加される供給電圧ＵＢ２はその電圧高さに関して、電気式の手動工作機械２２０がデータ接点５３Ａで提供する供給電圧ＵＢ１と相違する。供給電圧ＵＢ１はたとえば３ボルトであり、供給電圧ＵＢ２は５ボルトである。
【０１２９】
データインターフェース５４には、電圧ＵＢ１およびＵＢ２の相違する電圧高さを検出するために、たとえば電圧測定装置６１、特に電圧センサ、抵抗回路などが設けられており、それにより制御装置４６は、充電器具（充電器具２００）に接続されているのか、それとも工作機械２０Ａ，２０Ｂのような種類の電力消費部ないし電気式の工作機械に接続されているのかを認識することができる。
【０１３０】
制御装置４６は、エネルギー蓄積器モジュール４０が工作機械２０に接続されているか充電器具２２０に接続されているかに依存して、ワイヤレス通信インターフェース６０の動作モードを変更することが可能である。たとえば制御装置４６は、エネルギー蓄積器モジュール４０が工作機械２０に接続されているときにはワイヤレス通信インターフェース６０を作動化させ、それに対して、エネルギー蓄積器モジュール４０が充電器具２２０に接続されているときには、ワイヤレス通信インターフェース６０を不作動化する。
【０１３１】
エネルギー蓄積器モジュール４０が充電器具２２０に接続されているとき、制御装置４６がワイヤレス通信インターフェース６０を不作動化するのでなく、通信モードを変更することも可能である。たとえばエネルギー蓄積器モジュール４０が工作機械２０に接続されておらず、たとえば充電器具２２０と接続されているとき、またはこの種の接続を有していないとき、あとで説明するコンフィグレーション装置５００との、特にスマートフォンとの通信のために、ワイヤレス通信インターフェース６０をアクティブなままに保つことができる。たとえばスマートフォンなどのコンフィグレーション装置５００を用いて、たとえばプログラムデータなどをエネルギー蓄積器モジュール４０へ、たとえそれが工作機械２０と接続されていなくても伝送することができる。
【０１３２】
一方、エネルギー蓄積器モジュール４０Ａまたは４０Ｂが工作機械２０Ａまたは２０Ｂと接続されているときには、集塵機７０との、特にその外部通信装置１００とのワイヤレス通信が問題なく容易に可能である。
【０１３３】
機能・通信手順４００は、たとえば操作者Ｎの操作行為４０１をもって開始される。システム１０の操作者Ｎがたとえば集塵機７０を供給電源ＥＶに接続し、またはスイッチもしくは切換部材７８を操作して、集塵機が基本的に動作準備完了するように、すなわち機能４１０「作動中の状態」を有するようにする。
【０１３４】
これをうけて外部通信装置１００の制御装置１１７が状態４１１へと切り換わり、この状態のとき外部通信装置は集塵機７０を制御するためにすでに認証された器具となる。この状態４１１は、たとえば事前設定された時間のあいだ、特に１分または２分のあいだ続き、その後に再び終了する。このような時間的制約は、集塵機７０への認証されていないアクセスのリスクを低減する任意選択である。
【０１３５】
この機能性およびこれに続く機能性を実行するために、制御装置１１６は、たとえば外部通信装置１００の記憶装置１１８に格納されたプログラムモジュール１１９のプラグラムコードを実行するためのプロセッサ１１７を有する。
【０１３６】
プログラムモジュール１１９の機能４１２は、たとえばログオン操作部材１０６の情報の検出を可能にする。すなわち、操作者がたとえばステップ４１３でログオン操作部材１０６を操作すると、特に押すと、このことを機能４１２が出力コマンド４１４を用いて操作者Ｎに応答メッセージし、すなわちそれは、この機能が表示装置１１４を制御して、外部通信装置１００およびこれに伴って集塵機７０が新たな制御接続を成立させる準備を完了したことを操作者に示すことによる。外部通信装置１００は状態４１５へと移行し、すなわち、外部コンフィグレーション装置１００との制御接続を成立可能である動作準備完了モードへと移行する。
【０１３７】
通信モジュール４０は機能・通信手順４００の開始時には状態４３０「スリープ」にあり、すなわちインアクティブである。これを起点として、制御接続Ｓ１またはＳ２のうちの１つを成立させるための複数のシナリオが可能であり、そのうち以下においては第１のシナリオを説明する：
操作者Ｎがたとえば工作機械２０Ａの切換部材２４を操作して、これをスイッチオンする。しかし、工作機械２０Ａないしこれに割り当てられたエネルギー蓄積器モジュール４０Ａは、吸引ユニット７５をスイッチオンするための切換コマンドまたは制御コマンドを出力する認証をまだ受けていない。しかしこの種のログオンまたは認証は、操作者Ｎが切換部材２４を単に操作したときに、いわば自動的に行われる。
【０１３８】
操作者Ｎが切換部材２４を操作すると、工作機械２０Ａとエネルギー蓄積器モジュール４０Ａの間の通信関係がアクティブに切り換えられ、および／または成立する。エネルギー蓄積器モジュール４０は、すなわちエネルギー蓄積器モジュール４０Ａ，４０Ｂの各々は、切換部材２４の操作によってリリースされる動作情報を手掛かりにして、制御接続の成立と利用に適した器具が器具インターフェース５０に接続されていることを認識する。
【０１３９】
すなわちエネルギー蓄積器モジュール４０は、たとえば供給電圧ＵＶを参照して、電力消費部が接続されていることを認識することができる。この電圧ＵＶは、充電器具２２０の電圧ＵＬとは相違している。
【０１４０】
さらに別の動作情報は、たとえば制御装置２６から供給回線ＶＤまたはデータ接点５３ａに提供される供給電圧ＵＢ１でもあり得る。この供給電圧ＵＢ１は充電器具２２０の供給電圧ＵＢ２とは相違しており、特にこれよりも低い。すなわち、このようにして供給電圧ＵＢ１も切換部材２４の操作を表す指標の１つを形成する。
【０１４１】
さらに、バスＢＵでの初期化通信を、集塵機７０を制御する器具すなわち工作機械２０Ａまたは２０Ｂ（以下において工作機械２０とのみ呼ぶ）によるデータインターフェース５４の作動化を表す指標として制御装置４６によって評価することができる。たとえば照会メッセージ７５０が制御装置２６から制御装置４６に送信され、これによってたとえばエネルギー蓄積器モジュール４０の提供可能な供給電圧ＵＶが照会される。あるいは照会メッセージ７５０には、電気器具ないし工作機械２０を識別するデータ、たとえば工作機械２０Ａ，２０Ｂをダスト吸出しを必要とする工作機械として特徴づける識別記号７５１が含まれていてもよい。照会メッセージ７５０は、たとえば工作機械２０の動作準備完了情報である。制御装置４６は応答メッセージ７５２によって照会メッセージ７５０に応答し、照会された情報および／またはエネルギー蓄積器モジュールの充電状態などの情報を提供する。
【０１４２】
このように切換部材２４の操作によりリリースされる形で、エネルギー蓄積器モジュール４０がたとえばプログラムモジュール４１９の機能４３１でワイヤレス通信インターフェース６０を介して、送信プロセス４３２の一環としてログオンメッセージ４４０を外部通信装置１００に送信する。
【０１４３】
ログオンメッセージ４４０は、たとえばブロードキャスト送信器識別記号４４ｘを含んでおり、すなわち、集塵機７０にだけでなく、原則として受信準備が整った複数の集塵機に向けられるログオンメッセージを含んでいる。さらに、ログオンメッセージ４４０には認証パラメータ４４２が任意選択で記される。認証パラメータ４４２は、たとえばエネルギー蓄積器モジュール４０または工作機械２０の集塵機７０との基本的なシステム適合性を含んでいる。認証パラメータ４４２は、たとえば製造者識別記号などを含むことができる。
【０１４４】
外部通信装置１００は機能４１６によりログオンメッセージ４４０を受信する。機能４１６は事前設定された時間帯のあいだ、たとえば５００ｍｓｅｃから１０００ｍｓｅｃのあいだアクティブになる。この時間中に、ログオンをするエネルギー蓄積器モジュール４０によるログオン手順が完結していなければならないからである。外部通信装置１００はログオン受領確認メッセージ４４５をもって、エネルギー蓄積器モジュール４０のログオンを受領確認する。ログオン受領確認メッセージ４４５は、ステップまたは送信プロセス４１７で送信される。ログオン受領確認メッセージ４４５は、たとえばエネルギー蓄積器モジュール４０のアドレス識別記号４４６を送信者アドレスとして含んでいる。任意選択として、たとえばアクセスキー、パスワードなど、さらに別の情報４４７がログオン受領確認メッセージ４４５に含まれていてよい。あるいは情報４４７は、たとえば吸引ユニット７５の所要の、または設定されるべき吸引出力を特徴づけることもでき、その後の動作について好都合なその他の情報でもあり得る。
【０１４５】
ただし外部通信装置１００でのエネルギー蓄積器モジュール４０のログオンは、現在の動作のために必要である暫定的なログオンにすぎない。それに応じて、ログオンメッセージ４４０には暫定識別記号４４３が含まれるのが好ましく、それにより外部通信装置１００は、いわば暫定的なログオンないし暫定的な制御接続だけが希望されていることを知ることができる。
【０１４６】
ここでたとえば通信モジュール３００のいわば恒常的なログオンとの相違も明らかとなる。つまり通信モジュール３００をログオンするには、さらに手数のかかる、もしくはさらに難しい操作者Ｎの操作行為が必要であり、すなわち、たとえば暫定的なログオンの場合よりもログオン操作部材１０６を長く操作することが必要である。恒常的な制御接続または通信関係のための動作準備完了モードでは、外部通信装置１００が出力コマンド４１４で、暫定的な制御接続のためのログオンと比べて異なる信号を表示装置１１４への出力のために、たとえばＬＥＤの高速での点滅ないし短い周波数でのＬＥＤの点滅のために与える。最後に通信モジュール３００は、ログオンメッセージ４４０に匹敵するログオンメッセージの中に暫定識別記号４４３ではなく恒常識別記号を記す。
【０１４７】
ワイヤレス通信インターフェース６０ないしエネルギー蓄積器４０が集塵機７０ないし外部通信装置１００で成功裡にログオンすると、これら両方のコンポーネントは状態４１８「接続済み」へと移行する。恒常的にログオンされた通信モジュール３００もこの状態をとることになる。さらに追記しておくと、機能４３１は時間制限を含んでいるのが好ましい。切換部材２４がスイッチオンされてから、および／またはログオンメッセージ４４０が送信されてからたとえば５００から１０００ｍｓｅｃの事前設定された、または設定可能な時間内にログオン受領確認メッセージ４４５が現れないとき、そのログオン試行はいわば失敗する。
【０１４８】
状態４１８「接続済み」を起点として、認証手続および／または暗号化手続が意図されるのが好ましい。すなわちその後に確立される制御接続Ｓ１またはＳ２は、認証および／または暗号化されて行われるのが好ましい。
【０１４９】
たとえば外部通信装置１００は暗号化パラメータ４５１を用いて送信をする。すなわち、外部通信装置１００とエネルギー蓄積器モジュール４０Ａ，４０Ｂのうちの１つとの間で以前の暗号化ないし以前の通信がすでに存在しているとき、外部通信装置１００は既存のパラメータを援用する。たとえば外部通信装置の記憶装置１１８には、すでに以前に存在していたエネルギー蓄積器モジュール４０Ａ，４０Ｂへの制御接続のアドレス識別記号４４６ならびにこれに割り当てられた暗号化パラメータ４５１が保存される。
【０１５０】
例示として付言しておくと、これ以外のアドレス識別記号およびこれに割り当てられた暗号化パラメータが記憶装置１１８に保存されていてもよく、それは、たとえば工作機械２０Ｂのワイヤレス通信インターフェース６０Ｃと外部通信装置１００との間の制御接続についてのワイヤレス通信インターフェース６０Ｃのアドレス識別記号４４６Ｃならびに暗号化パラメータ４５１Ｃである。
【０１５１】
ここでさらに付言しておくと、外部通信装置１００は、それぞれのエネルギー蓄積器モジュール４０について暗号化パラメータが既知でないとき、メッセージ４５５を用いて暗号化パラメータ４５１を、または別の新しい暗号化パラメータ４５６を送信し、それにより、それぞれのコンポーネント１００，４０の間での暗号化された通信が可能となり、そのようにして状態４２１「暗号化された接続」が実現される。
【０１５２】
任意選択として外部通信装置１００は、特にその制御装置１１６は、表示装置１１４を制御し（ステップ４２３Ａ）、それによりこの表示装置が、存在している暗号化された接続を報知する。そのとき表示装置１１４はたとえば恒常的に点灯する。
【０１５３】
１つのエネルギー蓄積器モジュールにおいて、複数のアドレス識別記号および／または暗号化パラメータが保存されていることも可能である。たとえばエネルギー蓄積器モジュール４０ないし制御装置４６において、図面には示さない別の集塵機のアドレスデータと暗号化データを、すなわちたとえばこの別の集塵機のアドレス識別記号４４１Ｂと暗号化パラメータ４５１Ｂを保存していることが意図されていてよい。このようにエネルギー蓄積器モジュール４０も、必要時には、いわば他の集塵機に直接的にアクセスすることができる。
【０１５４】
機能通信手順４００に戻ると、その後の通信はたとえば次のように進行する：
機能４３３「スイッチオン」でエネルギー蓄積器モジュール４０が、たとえば制御装置４６が、たとえばスイッチオン識別記号４６１を含む制御コマンド４６０を送信プロセス４３４で送信する。さらに制御装置４６が作動化ステップ４３５で、確立された制御接続Ｓ１またはＳ２を表示するために表示装置４４を作動化する。するとたとえばランプ４４５が青色に点灯し、または、充電状態の表示とは別のパターンで点灯する。
【０１５５】
制御コマンド４６０を受けた後に外部通信装置１００がたとえば制御装置８６を制御し、それにより、これがステップ４２２で吸引ユニット７５をスイッチオンする。さらに外部通信装置１００は、特にその制御装置１１６は表示装置１１４を制御し（ステップ４２３）、それにより、これが吸引ユニット７５のスイッチオンを報知する。すると、たとえば表示装置１１４が恒常的に点灯する。
【０１５６】
操作者Ｎが切換部材２４を離すと、たとえば駆動モータ２２を通る通電が終了する。たとえば相応の電流センサ６２を参照して、このことを制御装置４６が検出することができる。供給電圧またはバス電圧ＵＢ１もこのケースでは低く、または小さい。さらに、エネルギー蓄積器モジュール４０がデータインターフェースまたはバスインターフェース３４、５４を介して、メッセージ７５３「モータをスイッチオフ」をアクティブに送信することが可能である。操作者Ｎの操作ステップ４０３によってリリースされるこれらのリリース結果の１つまたは複数が、エネルギー蓄積器モジュール４０の機能４３６「スイッチオフ」をもたらす。そしてこれが送信プロセス４３７で、好ましくは吸引ユニット７５の事前設定された遅延時間の後に吸引ユニット７５をスイッチオフするための制御コマンド４６２を送信し、このメッセージまたは制御コマンド４６２はスイッチオフ識別記号４６３を含んでいる。スイッチオフ識別記号４６３には、たとえば集塵機７０ないし吸引ユニット７５についての遅延時間が記されていてよい。
【０１５７】
照会メッセージ７５０およびメッセージ７５３は受信情報ＥＭを形成し、これをエネルギー蓄積器モジュール４０がデータインターフェース５４で受信して、これに依存して送信信号ＳＩＩすなわちたとえばログオンメッセージ４４０をワイヤレス通信インターフェース６０に出力する。
【０１５８】
応答メッセージ４４５はたとえば受信信号ＥＳＩであり、これを用いてエネルギー蓄積器モジュール４０がデータインターフェース５４で応答メッセージ７５２を送信情報ＳＭとして出力する。
【０１５９】
機能４２７「スイッチオフ」では、通信装置１００が直接的に、または制御装置８６の制御のもとで、スイッチオフするように吸引ユニット７５を制御するとともに、制御の終了を表示するように表示装置１１４を制御する。たとえば機能４２７は制御コマンド４２５を吸引ユニット７５へ直接的に出し、または制御装置８６すなわちデータインターフェース８３および１０８を介して出す。
【０１６０】
工作機械２０の切換部材２４が再び操作されると、エネルギー蓄積器モジュール４０は吸引ユニット７５をスイッチオンおよびスイッチオフするために、さらに別の後続の制御コマンド４６０および４６２を送信することができる。事前設定された時間の後、エネルギー蓄積器モジュールと外部通信装置１００の間のそれぞれの制御接続が終了することが意図されるのが好ましく、それにより、たとえば外部通信装置は状態４２８（状態４１１に相当）へと移行して、制御接続を成立させるために認証された器具を探す。それに対してエネルギー蓄積器モジュール４０は状態４３９へ、すなわち状態「スリープ」へ、状態４３０に準じて移行する。エネルギー蓄積器モジュール４０から外部通信装置１００または集塵機７０への制御接続が終了すると、機能４３６が表示装置４４へこの新たな動作状態を出力するのが好都合であり、それは、表示装置４４が不作動化ステップ４３８での制御によって制御接続の終了を報知するように制御されることによる。するとランプ４５がたとえば青色ではなく緑色に点灯して、エネルギー蓄積器４２の充電状態を報知する。
【０１６１】
さらに、工作機械２０はバスＢＵを通じてコンフィグレーションメッセージ７５４をエネルギー蓄積器モジュール４０に送信することが可能である。コンフィグレーションメッセージ７５４には、たとえば集塵機７０を調整するためのコンフィグレーションデータ７５５が記され、それは、たとえば吸引ユニット７５の必要な吸引出力、工作機械２０で生成されるダスト中の典型的な粒子量などである。エネルギー蓄積器モジュール４０はこれらのデータをワイヤレス通信インターフェース６０を通じて外部通信装置１００へ集塵機７０のコンフィグレーションのために、たとえばコンフィグレーションメッセージ４６５として転送するのが好ましい。外部通信装置１００はコンフィグレーションデータ７５５を制御装置８６へ以後の処理のために、特に吸引ユニットの適切な制御のために、たとえば送信プロセス４３７’を用いて転送する。
【０１６２】
制御装置８６および／または外部通信装置１００がコンフィグレーションデータ７５５を恒常的に、かつそれぞれの工作機械２０Ａおよび２０Ｂに割り当てたうえで、たとえば記憶装置８８および／または１１８に保存すると好ましい。
【０１６３】
さらに、保存されているコンフィグレーションを操作者が、たとえば操作部材構造７７を操作することで、いわばオーバーライドすることができると好ましい。たとえば切換部材７８Ａで、吸引ユニット７５の吸引出力を調整可能であってよい。
【０１６４】
集塵機がそれぞれの工作機械によって、たとえば工作機械２０Ａまたは２０Ｂのうちの１つによって現在制御されているときに、操作者により集塵機で直接設定された吸引パラメータが、特に切換部材７８Ａまたは操作部材構造７７のその他の操作部材で設定された吸引パラメータが、制御装置８６および／または外部通信装置１００によって恒常的に、かつそれぞれの工作機械２０Ａおよび２０Ｂに割り当てたうえで、たとえば記憶装置８８および／または１１８に保存されることが可能である。このシナリオでは、コンフィグレーションデータ７５５または吸引パラメータが工作機械２０Ａまたは２０Ｂからワイヤレス式に送信されることが可能であるが、絶対に必要というわけではない。
【０１６５】
あるいは、エネルギー蓄積器モジュール４０と工作機械２０が互いに結合されたときに、制御接続の成立をいわば自動的に行うこともできる。以下において、エネルギー蓄積器モジュール４０のうちの１つを例にとってこのことを説明する。あるいは、エネルギー蓄積器モジュール４０によるエネルギー供給がいわば開始されたときに、ないしはこれが器具インターフェース３０に配置されたときに、たとえばワイヤレス通信インターフェース６０Ｃがこのような方式でいわば自動的に、集塵機７０または外部通信装置１００へのそれぞれの制御接続を成立させることも可能である。
【０１６６】
たとえばエネルギー蓄積器モジュール４０および／または工作機械２０はキャパシタンスセンサ６６，３６を有することができ、これらによって供給接点３２Ａ，３２Ｂないし５２Ａ，５２Ｂの間のキャパシタンスＣ１およびＣ２を測定可能である。すなわち容量比率は回線Ｌ１とＬ２の間で、すなわちエネルギー供給をする接点またはエネルギー供給をする回線で、それぞれのエネルギー蓄積器モジュール４０が工作機械２０に取り付けられたときに変化する。センサ３６，６６は制御装置２６，４６と接続されており、またはこれらと通信する。すなわち、たとえば制御装置４６は、工作機械２０が接続されていることを、すなわち動作状態が実現されたことをセンサ６６が認識したとき、ログオンメッセージ４４０を自動的に送信する。
【０１６７】
エネルギー蓄積器モジュール４０と工作機械２０および／または集塵機の間の分断状態／または動作状態を認識するために、動作状態または分断状態をチェックするために、特にチェックするためだけに設けられる少なくとも１つのチェックメッセージがデータインターフェースで、たとえばバスインターフェースＢＵで意図されていてよい。たとえば一種のＰｉｎｇメッセージがそのために意図されていてよい。プロセッサ２７が、および／または前述した目的のために専用に設けられる工作機械２０または充電器具２２０のプロセッサ２７Ａが、チェックメッセージＣＫを特に周期的に送信することができ、エネルギー蓄積器モジュール４０はこれを参照して、たとえばそれが工作機械２０または充電器具２２０に接続されていることや、その種の器具への接続が存在しないことを認識する。チェックメッセージＣＫを受信するためにプロセッサ４７が、または当該メッセージについて専用に設けられるプロセッサ４７Ａが、エネルギー蓄積器モジュール４０に存在することが可能である。プロセッサ４７および／または４７ＡはチェックメッセージＣＫに対する応答として、たとえば応答メッセージＲＰを送信する。
【０１６８】
これ以外の方法でも、エネルギー蓄積器モジュール４０と工作機械２０が分断状態にあるか、それとも器具インターフェース３０，５０が互いに結合された、互いに接続された動作状態にあるかをセンサで検出することができる。
【０１６９】
たとえばセンサ５８が、固定装置５５の操作部材５７の操作を走査することができる。操作者が操作部材５７を押したとき、すなわち固定装置５５の固定を解除しようとしたとき、このことは動作状態から分断状態への移行として判断される。エネルギー蓄積器モジュール４０は、特にワイヤレス通信インターフェース６０は、このようなケースではたとえば制御接続Ｓ１またはＳ２を自動的に終了することができる。そのためにワイヤレス通信インターフェース６０は、たとえば相応の分断コマンドまたは分断メッセージを送信する。コンポーネント２０および４０が互いに分断されるので、操作部材５７の操作によって集塵機７０もスイッチオフすることができると特別に好ましい。たとえば制御装置４６は、センサ５８によって検出可能である操作部材５７の操作時に、制御コマンド４６２を送信する。
【０１７０】
あるいは、たとえば１つまたは複数の運動センサが設けられ、たとえばエネルギー蓄積器モジュール４０に運動センサ５９、工作機械２０に運動センサ５９Ｂが設けられることも可能である。運動センサ５９，５９Ｂが同一形状の運動を報知しているとき、制御装置４６，２６はそのことを相互に通信し、それにより、エネルギー蓄積器４０と工作機械２０が動作状態にあり、すなわち相互に取り付けられた状態にあると認識することができる。
【０１７１】
さらに、たとえば光学センサ６８またはその他の近接センサが、器具インターフェース３０がいつ器具インターフェース５０に取り付けられたかを検出することが可能である。光学センサまたは近接センサ６８が一例として図５のエネルギー蓄積器モジュール４０Ａに図示されているが、工作機械２０の器具インターフェース３０にも容易に設けられ得る（図４参照）。
【０１７２】
近接センサまたは光学センサ６８に類似して（たとえば超音波センサ、磁気センサなどが設けられていてもよいであろう）、電気式のスイッチ６８、特に押しボタンスイッチまたはキー式スイッチも、差込・形状接合輪郭５１および３１が互いに係合したときに、すなわち器具インターフェース３０，５０が機械的に互いに結合されたときに、操作される。このように電気式のスイッチ６９も、器具インターフェース３０，５０の動作状態を分断状態から区別することができ、ワイヤレス通信インターフェース６０Ｃまたはエネルギー蓄積器モジュール４０がログオンメッセージ４４０を送信することにつながる。
【０１７３】
エネルギー蓄積器モジュール４０が受信情報ＥＭの枠内で少なくとも１つのステータス情報を、特にエラー情報および／または電気器具のスイッチの切換位置および／または少なくとも１つの識別情報、たとえば電気器具のシリアルナンバーを受信することも可能である。たとえばエネルギー蓄積器モジュール４０は、エラー情報をステータス情報２９Ｃとして、および識別情報２９Ｄを、たとえば工作機械２０の一義的な識別子またはシリアルナンバーを、工作機械２０から受信することができる。このとき、工作機械２０がこれらの受信情報ＥＭをデータインターフェース５４を介して自発的に、すなわち工作機械２０でのエネルギー蓄積器モジュール４０による事前の照会なしに、送信することが可能であり、または、エネルギー蓄積器モジュール４０がこれらの受信情報ＥＭを工作機械２０で照会することが可能である。エラー情報は、たとえば工作機械２０の過熱や電気的な過負荷を表すことができる。識別情報２９Ｄは型式識別記号も含むことができ、それにより、たとえば特にねじ締め器具、鋸機械などの工作機械２０の種類を、識別情報２９Ｄを参照して認識可能である。
【０１７４】
前述した受信情報ＥＭはたとえば安全性関連ではなく、または機密保持されるものではない。そのことが特に好ましいのは、エネルギー蓄積器モジュール４０がこれらの受信情報ＥＭをブロードキャスト通信またはアドバタイジング通信の枠内で周期的もしくは定期的に、および／または分断状態から動作状態への移行時に、すなわち工作機械２０への接続時に、特に暗号化せずに送信する場合である。当然ながら、たとえば暗号化パラメータがエネルギー蓄積器モジュール４０とコンフィグレーション装置５００またはその他の受信をする器具との間ですでに交換されている場合には、暗号化された通信を行うこともできる。前述したいずれのシナリオにおいても、たとえばコンフィグレーション装置５００は識別情報２９Ｄおよび／またはステータス情報２９Ｃをエネルギー蓄積器モジュール４０から受信することができる。
【０１７５】
集塵機７０は、説明したように、１つまたは複数の通信モジュール３００を有することができる。複数のコンフィグレーションモジュール３００Ａ，３００Ｂおよび３００Ｃを有する構造は任意選択であり、すなわち、たとえばこれらの通信モジュールのうち１つだけが設けられていてよく、あるいは１つも有さなくてよい。それでも集塵機７０は機能するはずである。
【０１７６】
通信モジュール３００Ａはその通信インターフェース３１１を用いて、制御接続を維持または成立させるために利用することができる。たとえば通信モジュール３００Ｂおよび３００Ｃによって少なくとも部分的に成立する、および／または維持される、手動工作機械２０Ｂまたはエネルギー蓄積器モジュール４０Ｂから集塵機７０ないし外部通信装置１００への制御接続Ｓ６を成立させることができる。
【０１７７】
たとえば工作機械２０Ａのワイヤレス通信インターフェース６０Ｃ、またはエネルギー蓄積器モジュール４０Ｂのワイヤレス通信インターフェース６０は、区画Ｓ６１でまず通信モジュール３００と通信することができ、それによりたとえば制御コマンド４６０および／または４６２を送信し、すなわち吸引ユニット７５をスイッチオンおよびスイッチオフする。通信区域または接続区画Ｓ６．２で、通信モジュール３００がこの情報または制御コマンドを通信モジュール３００Ｂへ通信し、さらにこれが受信した制御コマンドまたは受信した情報を、接続区画Ｓ６３で、外部通信装置１００または集塵機７０へと転送する。通信モジュール３００Ｂおよび３００Ｃは、一方におけるシステムコンポーネント２０Ｂ／４０Ｂおよび他方における集塵機７０ないし通信装置１００に対して短い距離でのみ配置されているので、接続区画Ｓ６１およびＳ６３は短い。それに応じて、外部通信装置１００とワイヤレス通信インターフェース６０／６０Ｃの送信出力も特別に低くされ得る。
【０１７８】
特に、それぞれの通信モジュール３００Ｂとワイヤレス通信インターフェース６０、６０Ｃとの間の、または通信モジュール３００Ｃと外部通信装置１００との間の短い伝送経路では送信出力が特別に低いばかりでなく、安全性の側面も特別に好都合である。たとえば通信モジュール３００Ｂおよび３００Ｃの受信到達距離は、第三者の干渉情報や障害となる制御コマンドが通信モジュール３００Ｂおよび３３０Ｃによってそもそも受信、転送されない程度に短く構成されていてよい。
【０１７９】
当然ながら、通信モジュール３００Ｂおよび３００Ｃは集塵機７０から送信される情報もエネルギー蓄積器モジュール４０Ｂまたは工作機械２０Ｂへ転送することができ、すなわち、集塵機から工作機械へ、またはその逆に工作機械から集塵機へ単方向に、あるいは双方向にも作動することができる。ゲートウェイ機能は双方向なのが好都合である。たとえば集塵機７０は、このケースでは通知接続である制御接続Ｓ６を通じて、たとえば汚物収集室７３の充填レベルを通知することができ、それにより、ダスト排出が可能でなくなったときに、場合により工作機械２０Ｂがその動作を中止する。
【０１８０】
通信モジュール３００Ａおよび３００Ｂも工作機械２２Ａと集塵機７０の間で、このようにして容易にゲートウェイ機能を具体化することができる。
【０１８１】
ゲートウェイ機能の具体化のために２つの通信モジュールが設けられ、そのうち一方が集塵機の近傍に配置され、他方が工作機械またはそのエネルギー蓄積器モジュールの近傍に配置されることは必ずしも必要ではない。たとえば通信モジュール３００が、たとえば通信モジュール３００Ａが、外部通信装置１００とエネルギー蓄積器モジュール４０Ａの間でゲートウェイとしての役目を果たすことが可能である。
【０１８２】
通信関係および特に制御関係の成立にあたっても、通信モジュール３００がサポートをすることができる。さらに通信モジュール３００は以下に述べる仕方により、外部通信装置１００との制御または通信をするワイヤレス接続についても認証を受けることができる。
【０１８３】
たとえば外部通信装置１００は、通信インターフェース１１０とは区別される第２の標準に基づく通信インターフェース１０９を有する。たとえば通信インターフェース１１０の第１の標準はブルートゥース・ＷＬＡＮまたはその他の標準であり、それに対して通信インターフェース１０９の第２の標準は近距離無線通信用に仕向けられ、たとえばＲＦＩＤ通信インターフェースであり、あるいはＮＦＣ通信インターフェースである。
【０１８４】
システム１０のその他のコンポーネントも、このような第２の標準の別の通信インターフェースを有するのが好都合である。たとえば通信モジュール３００には、このような種類の通信インターフェース３１８が存在している。エネルギー蓄積器モジュール４０も、このような種類の第２の標準の通信インターフェースを、すなわち通信インターフェース６７を有することができる。最後に、第２の標準の通信インターフェースは集塵機ハウジング７１の表面または内部に直接的に、特に通信インターフェース８４として設けられていてもよい。
【０１８５】
第２の標準の、たとえば近距離無線通信標準の通信インターフェースは、制御接続または通知接続Ｓ１，Ｓ２のために必要な通信パラメータを保存および／または伝送するための役目を果たす。通信モジュール３００Ａおよび３００Ｂが集塵機７０を制御する、たとえば吸引ユニット７５をスイッチオンおよびスイッチオフする制御接続Ｓ３およびＳ４も、このようにしていわば認証またはパラメータ化することができる。最後に、すなわち制御接続Ｓ６も、第２の標準の通信インターフェースを用いたうえでゲートウェイ機能に合わせて調整することができる。
【０１８６】
以下においていくつかの変形例を提案する：
たとえば、通信インターフェース８４および／または通信インターフェース１０９では通信パラメータ８５として、集塵機７０または外部通信装置１００との制御接続を成立させるために必要である、集塵機７０のアドレス識別記号４４１および暗号化パラメータ４５１が保存される。これらの通信モジュール３００Ａ，３００Ｂまたは３００Ｃのうちの１つがその通信インターフェース３１８とともに通信インターフェース１０９および／または通信インターフェース８４の送信領域に入ると、通信パラメータ８５を読み出すことができる。これと逆の方式も可能であり、たとえば通信モジュール３００の通信パラメータがこれに保存され、通信インターフェース１０９，８４のうちの一方または両方によって読出可能である。
【０１８７】
あるいはこのようにして、ワイヤレス通信インターフェース６０または６０Ｃをコンフィグレーションすることもできる。たとえば工作機械２０の通信インターフェース３７は、通信インターフェース８４の近傍にあるときに、通信パラメータ８５を読み出すことができる。それぞれのエネルギー蓄積器モジュール４０もその通信インターフェース６７を用いて、通信パラメータ８５を通信インターフェース８４および／または１０９から読み出し、ないしはこれから受信することができる。
【０１８８】
外部通信装置１００に対する通信モジュール３００および／またはエネルギー蓄積器モジュール４０Ｂの制御接続を成立させるために、たとえば通信インターフェース９０９をたとえばＮＦＣ送信器またはＲＦＩＤ送信器の形態で具体化することもできる。通信インターフェース９０９は、たとえば吸引ホース１５の長手方向端部領域１７に配置される。たとえば通信インターフェース９０９は、集塵機７０または８７０の読出をする相応の通信インターフェース９１０によって読出可能である、第１の標準についての通信パラメータを含んでいる。通信インターフェース９０９はたとえばＲＦＩＤタグ、ＮＦＣタグなどであってよい。通信インターフェース９０９には、たとえば吸引ホース１５のホースジオメトリー、特にその長さおよびまたは直径など、さらに別のパラメータ９１１も保存されていてよく、このような別のパラメータ９１１も通信インターフェース９１０によって読出可能である。
【０１８９】
さらに、第２の標準の通信インターフェースのうちの１つまたは複数が、いわばトランスファ通信パラメータとしての役目を果たすことが可能である。たとえば通信モジュール３００Ｂは、通信パラメータ８５を集塵機ハウジング７１で、すなわち通信インターフェース８４および／または１０９で直接的に読み出すことができ、そして、これを工作機械２０Ｂおよび／またはエネルギー蓄積器モジュール４０Ｂへ伝送することができる。通信モジュール３００Ｂは、このケースではいわば通信パラメータ８５の中間記憶装置である。
【０１９０】
外部通信装置１００ないし集塵機７０を制御接続の成立のために動作準備完了モードに切り換えるさらに別の選択肢が、たとえば加速度センサまたは運動センサ３１２によって具体化される。加速度センサ３１２は加速度信号を制御装置３３６に送信し、これが加速度センサ３１２の運動信号または通知信号を参照して、手動工作機械２０Ａ，２０Ｂへの吸引ホース１５の典型的な接合運動または組付運動を認識する。たとえば制御装置３３６は加速度センサ３１２を参照して、事前設定された長さを有する、すなわち吸引吐出部３９のうちの１つへ吸引ホース１５を接合するときの差込距離を有する、直線運動および／または回転運動をなす典型的な差込運動を認識する。
【０１９１】
さらに、エネルギー蓄積器モジュールまたは工作機械の内部にある別の運動センサを用いて運動パターンが認識されることが可能である。たとえばエネルギー蓄積器モジュール４０の運動センサ５９は運動パターンを検出し、これをワイヤレス通信インターフェース６０を介して通信モジュール３００に伝送することができる。通信モジュール３００は運動センサ５９の運動パターンを、運動センサまたは加速度センサ３１２の運動パターンと比較する。両方の運動パターンが同一であれば、このことは、吸引ホース１５が工作機械２０に取り付けられていること、または取り付けられることを表す指標であり、それは、たとえば運動パターンが同じ向きであるが反転している場合である。このような情報を参照して、通信モジュール３００はたとえば制御接続Ｓ１またはＳ２を構築することができる。すなわち、運動センサ３１２および／または５９の運動パターンの認識が、たとえばそれぞれの制御接続Ｓ１またはＳ２の成立および／またはペアリング機能を、特にログオンメッセージ３６０の送信をリリースすることができる。
【０１９２】
コンフィグレーションおよび／または制御をするために、工作機械、エネルギー蓄積器モジュール、吸引ホース、および集塵機のシステムの外部にある器具、すなわちたとえばコンフィグレーション装置５００なども利用することができる。コンフィグレーション装置５００はたとえばコンピュータ、特にスマートフォン、スマートウォッチ、タブレットコンピュータなどである。コンフィグレーション装置５００は、吸引ホース１５および集塵機７０から独立した移動型のハウジング５０１を有している。さらにハウジング５０１は、工作機械２０またはエネルギー蓄積器モジュール４０のうちの１つの構成要素ではない。あるは、たとえば集塵機７０にモジュール収容部９６が存在し、その中に、遠隔操作にも適したコンフィグレーション装置５００を差込可能であることも考えられよう。コンフィグレーション装置５００は、利用者Ｎのために情報を出力するために、ならびにコマンドを入力するために、表示装置５０２ならびに入力手段５０３を有している。入力手段５０３は、たとえばタッチパッドのような形式で、表示装置５０２の構成要素であってよい。
【０１９３】
コンフィグレーション装置５００は、プロセッサ５０７ならびに記憶装置５０８を備えた制御装置５０６を有している。記憶装置５０８には１つまたは複数のプログラムモジュール５０９が格納されていて、そのプログラムコードをプロセッサ５０７により実行可能である。さらに記憶装置５０８には、制御接続Ｓ１−Ｓ４をコンフィグレーションするのに適していてよいコンフィグレーションモジュール５１０が格納されている。コンフィグレーションモジュール５１０は、プロセッサ５０７により実行可能であるプログラムコードを有している。コンフィグレーション装置５００は、通信モジュール３００と同じ形式で集塵機７０を直接的に制御することができる。そのために、たとえば外部通信装置１００と直接的に通信することができる通信インターフェース５１１、特にブルートゥースインターフェース、ＷＬＡＮインターフェースなどが設けられている。たとえば入力手段５０３での入力が、ログオン操作部材３１６または１０６のうちの１つの操作と同じ形式で可能である。そしてコンフィグレーション装置５００は、たとえばコンフィグレーションモジュール５１０のプログラムコードを実行して、エネルギー蓄積器モジュール４０または工作機械２０を制御接続の成立のために認証可能である動作準備完了モードへと外部通信装置１００を切り換える。
【０１９４】
さらにコンフィグレーション装置５００は、第２の標準を有するコンフィグレーションインターフェース５１２、たとえばＲＦＩＤインターフェースを有するのが好都合である。このように、コンフィグレーション装置５００はたとえばコンフィグレーションパラメータ８５を読み出すことができ、および／または送信することができる。
【０１９５】
ここで再度追記しておくと、当然ながら、工作機械２０をさらに別の標準のその通信インターフェース３７とともに、および／またはエネルギー蓄積器モジュール４０をその通信インターフェース６７とともに、集塵機ハウジング７１および／または外部通信装置１００の近傍へ直接的に移すことができ、それにより通信パラメータ８５を読み出し、および／または自身の通信パラメータをそこへ送信する。
【０１９６】
ここで再度追記しておくと、当然ながら、工作機械２０をさらに別の標準のその通信インターフェース３７とともに、および／またはエネルギー蓄積器モジュール４０をその通信インターフェース６７とともに、集塵機ハウジング７１および／または外部通信装置１００の近傍へ直接的に移すことができ、それにより通信パラメータ８５を読み出し、および／または自身の通信パラメータをそこへ送信する。このように、工作機械２０およびエネルギー蓄積器モジュール４０も集塵機７０と同様に、第１および第２の通信標準の通信インターフェースをそれぞれ備えるコンフィグレーションモジュールを形成する。
【０１９７】
さらにコンフィグレーション装置５００は、たとえばソフトウェアまたは少なくとも１つのプログラムモジュール、コンフィグレーションデータなどを、エネルギー蓄積器モジュール４０のうちの１つおよび／または工作機械２０のうちの１つへロードするのに適している。その際にワイヤレス通信インターフェース６０，６０Ｃは、コンフィグレーション装置５００の通信インターフェース５１１と直接的に通信するのが好ましい。このようにして、たとえばプログラムモジュール４９をエネルギー蓄積器モジュール４０へ、またはプログラムモジュール２９を工作機械２０へ伝送することができる。さらに、たとえば工作機械２０についてのコンフィグレーションデータ２９Ａを、たとえば動作パラメータおよび／または機械設定（最大回転数、最大の出力、利用期間制限など）を、伝送することができる。プログラムモジュール２９は直接的に、たとえば通信インターフェース６０を通じて工作機械２０へ、または間接的にエネルギー蓄積器モジュール４０すなわちそのワイヤレス通信インターフェース６０を介して、および互いに通信をするデータインターフェース３４，５４を介して、エネルギー蓄積器モジュール４０からさらに工作機械２０へ、特にその制御装置２６へ伝送することができる。
【０１９８】
当然ながら、エネルギー蓄積器モジュールに対する工作機械のゲートウェイ機能も可能であり、すなわち、たとえばワイヤレス通信インターフェース６０Ｃがエネルギー蓄積器モジュール４０についてのプログラムモジュール４９を受信し、データインターフェース３４，５４を通じてエネルギー蓄積器モジュール４０に伝送する。
【０１９９】
これと逆の方向で、たとえばエネルギー蓄積器モジュール４０によって工作機械２０のデータを受信し、コンフィグレーション装置５００へ伝送することができ、それはたとえばプロトコルデータ２９Ｂ、特にエラー記憶装置のデータ、ログファイルのデータなどである。エラー記憶装置には、たとえば工作機械２０の作動時に発生したエラー、特に温度超過などが含まれていてよい。ログファイルは、たとえば工作機械２０の使用に関するデータを含む。いわばゲートウェイとして作用するエネルギー蓄積器モジュール４０を利用したうえで、たとえば使用期間、エラー状況などを工作機械２０からコンフィグレーション装置５００を用いて読み出すことができる。工作機械２０が独自の無線インターフェースやその他のワイヤレスインターフェースを有する必要はない。
【０２００】
制御接続Ｓ１−Ｓ６では制御をする情報、たとえば吸引ユニット７５に対する切換コマンド、それぞれの工作機械２０のダスト種別、回転数調節、消費出力、圧着力、粒子発生またはダスト発生などを送信することができる。さらに集塵機７０のコンフィグレーションが可能であり、すなわち、制御接続Ｓ１−Ｓ６のうちの１つまたは複数を通じてコンフィグレーションデータまたは通知データが、たとえば吸引ユニットのスイッチオフ後の遅延時間、吸引ユニットの必要な出力などが、工作機械２０および／またはエネルギー蓄積器モジュール４０から集塵機２０へと伝送される。
【０２０１】
コンフィグレーション装置５００は、機能・通信手順４００に基づき、外部通信装置１００に暫定的にログオンすることができる。しかしながら、通信モジュール３００と同じ形式での恒常的なログオンが好ましい。集塵機７０ないし外部通信装置１００でコンフィグレーション装置５００を認証ないしログオンするために、たとえばログオン操作部材１０６が長く押される。このようにして、認証された資格のある器具だけがログオンされることが保証される。
【０２０２】
以下において、優先順位・保全コンセプトについてさらに提案する：
集塵機７０の優先的な制御のために、集塵機７０で制御のために恒常的にログオンされているシステム１０のコンポーネント、たとえば電源接続された工作機械２０Ｃおよび通信モジュール３００ならびにコンフィグレーション装置５００が設けられる。これらのコンポーネントのうちの１つから吸引ユニット７５に対するスイッチオン信号またはスイッチオフ信号が来ると、このことは集塵機７０によって、特にその制御装置８６によって、エネルギー蓄積器モジュール４０を装備する工作機械２０Ａおよび２０Ｃの相応の制御コマンドよりも優先的に取り扱われる。
【０２０３】
さらに、操作部材構造７７の操作部材のうちの１つでの操作が優先される。すなわち、たとえば切換部材７８が操作されると、他のあらゆる制御接続が劣位になる。
【０２０４】
遠隔操作では、すなわちたとえば通信モジュール３００やコンフィグレーション装置５００では、集塵機７０との１対１の関係が意図される。したがって、遠隔操作が誤って別の集塵機を制御することがあり得ない。同様に、常に１つの工作機械だけがエネルギー蓄積器モジュールとともに集塵機７０で認証されて、これを制御することができると常に好ましい。他の工作機械または新たな工作機械が認証されるとただちに、以前に認証されていた機械の認証は解消される。このように、制御接続Ｓ１またはＳ２のうちの常に一方だけが具体的な実施例において可能である。
【０２０５】
差込コンセント７９の電流検出に代えて、またはその補足として、圧縮空気検出が意図されていてもよい。このように、たとえば圧縮空気で作動する器具、たとえば研削機械や研磨機械を集塵機７０に接続することができる。このような機械がスイッチオンまたはスイッチオフされると、吸引ユニット７５が作動し、または再びスイッチオフされる。相応の圧縮空気センサは、このようなケースでは接続装置に存在する。接続装置は貫流装置であってよく、すなわち圧縮空気が一方では集塵機７０に送り込まれ、他方では、図面には示さない圧縮空気式機械からいわばタップ出しされる。圧縮空気式機械または電源式機械（工作機械２０Ｃ）がスイッチオンされ、集塵機７０と結合されているとき、このことは最高の優先順位を有する。中程度の優先順位を有するのは、通信モジュール３００およびコンフィグレーション装置５００であり、切換部材７８も同様である。
【０２０６】
もっとも低い優先順位を有するのは蓄電池式機械であり、ないしはエネルギー蓄積器モジュールを備えている工作機械２０Ａ，２０Ｃである。
【０２０７】
認証を解消するために、ないしは制御接続Ｓ１−Ｓ６を終了するために、それぞれのエネルギー供給の終了によってそれがリリースされることが意図されていてよいのが好ましい。すなわち、たとえばエネルギー蓄積器モジュール４０Ａ，４０Ｂが工作機械２０Ａ，２０Ｂから分断されると、制御接続Ｓ１またはＳ２が自動的に終了する。コンフィグレーションモジュール３００のエネルギー供給部３１０が外されたときにも、集塵機７０での認証が自動的に解消される。このとき、このような分断がなされたときにエネルギー蓄積器モジュール４０または工作機械２０が、吸引ユニット７５をスイッチオフするための切換コマンドをさらに送信すると好ましい。
【０２０８】
エネルギー供給が終了したと、たとえばエネルギー供給部３１０が外されたとき、遠隔操作は、たとえば通信モジュール３００またはコンフィグレーション装置５００は、外部通信装置１００またはワイヤレスインターフェース６０に新たな識別子でログオンするのが好都合である。このようにして、たとえば新たな暗号化をセットアップすることができる。新たな識別子が存在しているとき、すなわち、たとえば新たなアドレス識別記号が存在しているとき、両方の通信パートナーは新たな暗号化パラメータを交付する準備が整っている。互いに競合するワイヤレス通信インターフェース６０、６０Ｃが、集塵機７０または外部通信装置１００との制御接続を成立させようとしているときは、たとえばそのつど最初にログオンしたワイヤレス通信インターフェース６０が受け付けられる。すなわち、外部通信装置１００の動作準備完了モード中に、たとえば工作機械２０Ａの切換部材２４が工作機械２０Ｃの切換部材２４よりも前に押されると、制御接続Ｓ１が優先的に成立する。
【０２０９】
さらに、競合する機械においては、受信をする外部通信装置１００の近くにあるほうの機械が制御接続を成立させることができるのが好ましい。これはたとえば図１の実施例では、制御接続Ｓ１を成立させようとしているエネルギー蓄積器モジュール４０Ａである。たとえばワイヤレス通信インターフェース６０はログオンメッセージ４４０に、それがログオンメッセージ４４０を送信する信号強度を含んだ信号強度情報４４８を書き込むことができる。
【０２１０】
外部通信装置１００は信号強度を測定するセンサ１１１を用いて、ログオンメッセージ４４０が受信された信号の強度を測定し、信号強度情報４４８と比較することができる。そして、そこから制御装置８６はコンポーネント４０Ａと１００の間の距離の値を判定することができる。
【０２１１】
一方、ワイヤレス通信インターフェース６０Ｃまたはエネルギー蓄積器モジュール４０Ｂは外部通信装置１００から遠く離れており、すなわち劣位に扱われる。
【０２１２】
信号強度情報４４８がログオンメッセージ４４０に含まれていることも可能である。このような状況では、センサ１１１はログオンメッセージ４４０の信号強度をたとえば閾値と比較する。
【０２１３】
さらに、センサ１１１はたとえばエネルギー蓄積器モジュール４０Ａおよび４０Ｂのログオンメッセージ４４０の信号強度を直接的に相互に比較し、高いほうの信号強度を有するログオンメッセージ４４０に対してのみ、またはそのほうに対して先に、すなわち短い応答時間で反応することが可能である。
【０２１４】
外部通信装置１００に近いほうに配置された通信パートナーの優先性は、たとえば外部通信装置１００がそれぞれ異なる応答時間を設定することを意図することができる。このことが図１６に図示されている。たとえば応答時間ＡＳ（ｔ）が、センサ１１１が測定した信号強度Ｓに依存して増減する。たとえば外部通信装置１００は、比較的強い信号強度を有するエネルギー蓄積器モジュール４０Ａのログオンメッセージ４４５に対して、エネルギー蓄積器モジュール４０Ｂの相応のログオンメッセージ４４０に対してよりも迅速に反応して応答メッセージを送信することができる。
【０２１５】
外部通信装置１００の記憶装置１１８に保存されている通信パラメータが、たとえばアドレス識別記号４４６および４４６Ｃやこれに割り当てられた暗号化パラメータ４５１，４５１Ｃが、事前設定された時間後に、および／またはエネルギー供給部から完全に分断された後に消去されると好ましい。移動型の器具すなわちたとえばエネルギー蓄積器モジュール４０Ａ，４０Ｂにおいても、事前設定された時間後に、および／またはエネルギー供給部の分断後に、通信パラメータが記憶装置４８から消去されると好ましい。
【０２１６】
さらに、移動型の器具すなわち工作機械２０やエネルギー蓄積器モジュール４０の認証が外部通信装置において消去されることが可能であり、すなわち、それぞれの工作機械２０のエネルギー蓄積器モジュール４０が集塵機７０をスイッチオンしているが、たとえば切換部材７８や電源式工作機械２０Ｃなどの他の機能が集塵機を再びスイッチオフしているときには、制御接続Ｓ１，Ｓ２が消去されたものとみなされる。
【０２１７】
さらに、制御接続を構築することができる移動型の器具における通信パラメータが充電プロセスとの関連でリセットされると好都合であり、すなわち、たとえばエネルギー蓄積器モジュール４０が充電器具２２０に接続されるとパラメータ４４１，４５１が消去される。
【０２１８】
通信モジュール３００のログオン操作部材３１６を相応に操作することで、たとえば相応に長く押すことで、たとえばソフトウェアアップデートなどのために、通信モジュール３００とコンフィグレーション装置５００の間のワイヤレス通信接続を成立させることもできる。
【０２１９】
図１５に示すシステムは、電源接続式の工作機械またはエネルギー蓄積器モジュール４０Ｄにより作動可能な工作機械である工作機械２０Ｄを含んでいる。エネルギー蓄積器モジュール４０Ｄ、ならびに集塵機８７０を作動させるのに適した別のエネルギー蓄積器モジュール８４０は、機能的にたとえばエネルギー蓄積器モジュール４０Ｂに相当する。設計形態も、図面から明らかなとおり同一である。
【０２２０】
工作機械２０Ｄは、たとえば工作物Ｗを研削するための研削器具である。吸引ホース１５と接続部品１７を用いて、工作機械２０Ｄを集塵機８７０に、すなわち吸引取込部８７２に接続可能である。
【０２２１】
集塵機８７０は、スタックボックスに配置された積み重ね可能な集塵機である。これはたとえば箱型の集塵機８７１であって、たとえば手動工具、工作機械、たとえば工作機械２０Ｄなどを保管するための容器も含むスタックの上、下、または中へ、上から、下から、または中から積み重ね可能である。このような種類のスタックを形成するための結合コンポーネントについては詳しくは立ち入らない。たとえば集塵機ハウジング８７１の前面に、上および／または下に積み重ねられる容器と連結するための複数の連結部材８０１、たとえば連結金具、ロックボルトなどを見ることができる。
【０２２２】
蓋によって閉止可能である集塵機ハウジング８７１の内部に、吸引ユニット７５と同じ形式の吸引ユニット８７５が配置されている。さらに、そこにはフィルタ８７４ならびに汚物収集室８７３が、特に集塵機ハウジング８７１から引出し可能な容器の中にある。集塵機ハウジング８７１の外面または内部空間には、エネルギー蓄積器モジュール８４０の器具インターフェース５０と適合する器具インターフェース８３０が設けられており、それにより、集塵機８７０をエネルギー蓄積器モジュール８４０によって作動可能である。
【０２２３】
そしてエネルギー蓄積器モジュール８４０は、エネルギー蓄積器モジュール４０Ｄと直接的に通信することができる。たとえば工作機械２０Ｄはそのエネルギー蓄積器モジュール４０Ｄを通じてエネルギー蓄積器モジュール８４０Ｄを制御することができ、これがさらに集塵機８７０を吸引ユニット８７５のスイッチオンおよび／またはスイッチオフのために制御する。このとき通信は、それぞれの第１および第２のシステムコンポーネントの間の、すなわち工作機械２０Ｄとエネルギー蓄積器モジュール４０Ｄならびに集塵機８７０とエネルギー蓄積器モジュール８４０の間の、すでに説明したデータインターフェース３４，５４を通じて行われる。ここで付言しておくと、たとえばログオンメッセージ４４０を用いたログオンが図１５に示すシステムの場合にも可能である。あるいはすでにエネルギー蓄積器モジュール４０Ｄおよび８４０が、相互の通信のために認証された通信ペアとなることも可能である。このように、集塵機と工作機械の間の制御接続を成立させるために、いかなる操作者の介入も必要ない。
【０２２４】
工作機械２０および／または充電器具２２０は供給電圧ＵＢ１または供給電圧ＵＢ２を定期的または周期的にスイッチオンすることが可能であり、それによりエネルギー蓄積器モジュール４０は、自身が工作機械２０ないし充電器具２２０と接続されていることを認識し、それは特に、工作機械２０と接合されるケースで工作機械がスイッチオフされたときにもたとえば集塵機６０との相応の制御接続を維持するためであり、または、充電器具２２０と接続されるケースでこの種の制御接続を成立させないためである。
【０２２５】
１つの好ましいコンセプトは、エネルギー蓄積器モジュール４０および／またはコンフィグレーション装置５００および／または少なくとも１つの通信モジュール３００が、集塵機６０または外部通信装置１００ですでに認証が存在する場合には、いわば保存されている当該集塵機との接続をあらためて最初に開始することを意図する。このケースでは認証がすでに存在する。このようなケースでは、ブロードキャスト送信器識別記号４４ｘを含むログオンメッセージ４４０はいわば不要であり、すなわちログオンメッセージは、原則として受信準備が整っている複数の集塵機にではなく、集塵機７０のみに向けられる。このケースではログオンメッセージ４４０は集塵機７０のアドレス識別記号を含むのが好ましく好都合である。
【図１】
2020522921.tif 000003
【図２】
2020522921.tif 000004
【図３】
2020522921.tif 000005
【図４】
2020522921.tif 000006
【図５】
2020522921.tif 000007
【図６】
2020522921.tif 000008
【図７】
2020522921.tif 000009
【図８】
2020522921.tif 000010
【図９】
2020522921.tif 000011
【図１０】
2020522921.tif 000012
【図１１】
2020522921.tif 000013
【図１２】
2020522921.tif 000014
【図１３】
2020522921.tif 000015
【図１４】
2020522921.tif 000016
【図１５】
2020522921.tif 000017
【図１６】
2020522921.tif 000018
【国際調査報告】
2020522921.tif 000019
2020522921.tif 000020
2020522921.tif 000021
2020522921.tif 000022
2020522921.tif 000023